(57)【特許請求の範囲】
【請求項１】
化学物質安全データシートを作成して提供するＭＳＤＳ作成提供システムであって、
化学物質に関する情報を保存するデータベース端末と、
このデータベース端末から前記情報を受信して前記化学物質安全データシートを作成するＭＳＤＳ管理端末と、
このＭＳＤＳ管理端末から前記化学物質安全データシートを取得して表示するユーザ端末と、
前記ＭＳＤＳ管理端末から前記化学物質安全データシートを取得して表示する携帯端末を備え、
前記ユーザ端末及び／又は前記携帯端末が、緊急事態信号を送信する緊急通報手段を備え、
前記ＭＳＤＳ管理端末が、
前記緊急事態信号を送信してきたユーザ端末及び／又は携帯端末と、前記化学物質安全データシートの提供先である一又は二以上のユーザ端末及び／又は携帯端末とを関連付けた提供先テーブルを記憶する記憶手段と、
前記緊急事態信号を受信すると、前記提供先テーブルを参照して、前記一又は二以上のユーザ端末及び／又は携帯端末を抽出する制御手段と、
前記抽出したユーザ端末及び／又は携帯端末に対して前記化学物質安全データシートを送信する送信手段とを有した
ことを特徴とするＭＳＤＳ作成提供システム。
【請求項２】
前記ユーザ端末及び／又は前記携帯端末が、
複数の化学物質を一覧表示する表示手段と、
前記複数の化学物質の中から一又は二以上の化学物質を選択する入力手段と、
前記選択された化学物質を化学物質特定情報として前記ＭＳＤＳ管理端末へ送信する通信手段とを有し、
前記ＭＳＤＳ管理端末が、
前記化学物質特定情報により特定された化学物質に関する化学物質安全データシートを作成するＭＳＤＳ作成手段を有し、
前記ＭＳＤＳ管理端末の前記送信手段が、前記化学物質特定情報を送信してきた前記ユーザ端末及び／又は前記携帯端末へ、前記化学物質安全データシートを送信すると、
前記ユーザ端末及び／又は前記携帯端末の通信手段が、前記化学物質安全データシートを受信し、
前記表示手段が、前記化学物質安全データシートを表示する
ことを特徴とする請求項１記載のＭＳＤＳ作成提供システム。
【請求項３】
前記ユーザ端末及び／又は前記携帯端末が、
化学物質を特定するデータが記号化されたコードを読み取るコード読取手段と、
前記読み取られたコードを解析するコード解析手段とを有し、
前記通信手段が、前記解析により得られた化学物質名を前記化学物質特定情報として前記ＭＳＤＳ管理端末へ送信する
ことを特徴とする請求項２記載のＭＳＤＳ作成提供システム。
【請求項４】
前記ユーザ端末及び／又は前記携帯端末が、
化学物質を検出して化学物質名を特定する化学物質検知手段を有し、
前記通信手段が、前記化学物質検知手段で特定された化学物質名を前記化学物質特定情報として前記ＭＳＤＳ管理端末へ送信する
ことを特徴とする請求項２記載のＭＳＤＳ作成提供システム。
【請求項５】
前記ユーザ端末及び／又は前記携帯端末の表示手段が、前記化学物質安全データシートに記載される複数の項目を表示し、
前記入力手段が、前記複数の項目の中から一又は二以上の項目を選択し、
前記通信手段が、前記選択された項目を前記ＭＳＤＳ管理端末へ送信し、
前記ＭＳＤＳ管理端末のＭＳＤＳ作成手段が、前記選択された項目が記載された前記化学物質安全データシートを作成し、
前記送信手段が、前記選択された項目を送信してきたユーザ端末又は携帯端末へ前記化学物質安全データシートを送信し、
前記ユーザ端末及び／又は前記携帯端末の前記通信手段が、前記ＭＳＤＳ管理端末から送信されてきた化学物質安全データシートを受信し、
前記表示手段が、前記化学物質安全データシートを表示する
ことを特徴とする請求項２〜４のいずれかに記載のＭＳＤＳ作成提供システム。
【請求項６】
前記ＭＳＤＳ管理端末が、
前記化学物質の使用回数及び／又は前記化学物質安全データシートの送信回数をカウントするカウント手段と、
前記カウント数を記憶する記憶手段とを有し、
前記ユーザ端末及び／又は前記携帯端末の通信手段が、化学物質一覧送信要求信号を前記ＭＳＤＳ管理端末へ送信し、
前記ＭＳＤＳ管理端末が、
前記化学物質一覧送信要求信号を受信する受信手段と、
前記化学物質一覧送信要求信号の受信にもとづき、前記記憶手段に記憶されている複数の化学物質に関する情報を、前記カウント数にしたがって並べ替える記憶制御手段とを有し、
前記送信手段が、前記並べ替えが行われた後の複数の化学物質に関する情報を、一覧として前記ユーザ端末及び／又は前記携帯端末へ送信する
ことを特徴とする請求項２〜５のいずれかに記載のＭＳＤＳ作成提供システム。
【請求項７】
前記ユーザ端末及び／又は前記携帯端末が、
前記化学物質安全データシートに関する設問と、この設問の正解とを記憶する記憶手段と、
前記設問を表示する表示手段と、
前記設問に対する解答を入力する入力手段と、
前記解答と前記正解とを照合する制御手段とを有し、
前記表示手段が、前記照合の結果である解答の正否を表示する
ことを特徴とする請求項１〜６のいずれかに記載のＭＳＤＳ作成提供システム。
【請求項８】
前記制御手段が、前記設問数に対する解答の正解数を算出し、
前記表示手段が、前記算出された正解数を表示する
ことを特徴とする請求項７記載のＭＳＤＳ作成提供システム。
【請求項９】
通信回線に接続された一又は二以上の端末に対して化学物質安全データシートを提供するＭＳＤＳ提供方法であって、
ＭＳＤＳ管理端末の記憶手段が、緊急事態信号を送信してくるユーザ端末及び／又は携帯端末と、前記化学物質安全データシートの提供先である一又は二以上のユーザ端末及び／又は携帯端末とを関連付けた提供先テーブルを記憶し、
前記ユーザ端末及び／又は前記携帯端末の緊急通報手段が、前記ＭＳＤＳ管理端末に緊急事態信号を送信し、
前記ＭＳＤＳ管理端末の制御手段が、前記緊急事態信号を受信すると、前記提供先テーブルを参照して、前記一又は二以上のユーザ端末及び／又は携帯端末を抽出し、
前記ＭＳＤＳ管理端末の送信手段が、前記制御手段で抽出されたユーザ端末及び／又は携帯端末に対して前記化学物質安全データシートを送信し、
前記ユーザ端末及び／又は携帯端末が、前記ＭＳＤＳ管理端末から前記化学物質安全データシートを取得して表示する
ことを特徴とするＭＳＤＳ提供方法。
【請求項１０】
通信回線に接続された一又は二以上の端末に対して化学物質安全データシートを提供する処理をＭＳＤＳ管理端末に実行させるＭＳＤＳ提供プログラムであって、
緊急事態信号を送信してくるユーザ端末及び／又は携帯端末と、前記化学物質安全データシートの提供先である一又は二以上のユーザ端末及び／又は携帯端末とを関連付けた提供先テーブルを記憶する処理と、
前記ユーザ端末及び／又は前記携帯端末から送信された前記緊急事態信号を受信すると、前記提供先テーブルを参照して、前記一又は二以上のユーザ端末及び／又は携帯端末を抽出する処理と、
前記制御手段で抽出されたユーザ端末及び／又は携帯端末に対して前記化学物質安全データシートを送信する処理と
を前記ＭＳＤＳ管理端末に実行させる
ことを特徴とするＭＳＤＳ提供プログラム。
【発明の詳細な説明】
【技術分野】
【０００１】
本発明は、化学物質について安全な取扱い等を確保するための情報を掲載した化学物質安全データシート（ＭＳＤＳ）、このＭＳＤＳを作成して各端末に提供するＭＳＤＳ作成提供システム、そのＭＳＤＳの作成手順を示すＭＳＤＳ作成方法、そのＭＳＤＳを端末へ提供する手順を示す提供方法、及び、これらＭＳＤＳ作成方法や提供方法を実行するためのプログラムに関し、特に、端末の画面に表示されるＭＳＤＳ作成提供システム、ＭＳＤＳ提供方法及びＭＳＤＳ提供プログラムに関する。
【背景技術】
【０００２】
有機溶剤などの化学物質は、その取扱いを誤ると、人体に被害を及ぼし、場合によっては致死の可能性がある。
そこで、化学物質の取扱いを周知して事故の発生を未然に防ぐことを目的としてＭＳＤＳ（Ｍａｔｅｒｉａｌ  Ｓａｆｅｔｙ  Ｄａｔａ  Ｓｈｅｅｔ）制度が導入された。
ＭＳＤＳ制度とは、一定の化学物質を販売又は授与する場合、その譲受人等に対し、その性状及び取扱いに関する情報を提供することを義務付ける制度をいう。
これにより、有機溶剤等の譲受人等は、その化学物質の性状等を知得して、適切に管理・使用できる。
【０００３】
ところで、近年では、そのＭＳＤＳが、化学物質の販売とは別に、インタネットを介して自由に入手可能となっている。
また、コンピュータシステムを介して、そのＭＳＤＳを提供する技術が種々提案されている（例えば、特許文献１〜３参照。）。
これらの技術によれば、コンピュータシステムを利用可能な環境下であれば、その化学物質に関する情報を、必要なときに入手できる。
【特許文献１】特開２００５−３１００３６号公報
【特許文献２】特開２００６−０３９６１８号公報
【特許文献３】特開２００６−１１３９９６号公報
【発明の開示】
【発明が解決しようとする課題】
【０００４】
しかしながら、上述した特許文献１〜３に記載の技術においては、提供されるＭＳＤＳが文字を列記しただけのものとなっており、内容の理解に相当の時間を要していた。
具体的には、ＭＳＤＳは、図６２に示すように、各事項ごとにその説明文が記載された構成となっていた。このため、読むことに煩わしさを感じてしまい、内容の理解やその知得が不十分となっていた。これにより、化学物質に関する情報の周知が図れず、ＭＳＤＳ制度の目的を果たすことができないという問題があった。
【０００５】
また、緊急事態が発生した場合にＭＳＤＳを取り出しても、その内容の理解に相当の時間を要することから、被災者への措置が遅れてしまい、被害が拡大する恐れがあった。
【０００６】
本発明は、上記の事情にかんがみなされたものであり、化学物質に関する情報を即座に理解でき、ＭＳＤＳ制度本来の目的を果たせるようにするとともに、被災者への救済措置を迅速に行うことが可能なＭＳＤＳ作成提供システム、ＭＳＤＳ提供方法及びＭＳＤＳ提供プログラムの提供を目的とする。
【課題を解決するための手段】
【０００８】
また、本発明のＭＳＤＳ作成提供システムは、化学物質安全データシートを作成して提供するＭＳＤＳ作成提供システムであって、化学物質に関する情報を保存するデータベース端末と、このデータベース端末から情報を受信して化学物質安全データシートを作成するＭＳＤＳ管理端末と、このＭＳＤＳ管理端末から化学物質安全データシートを取得して表示するユーザ端末と、ＭＳＤＳ管理端末から化学物質安全データシートを取得して表示する携帯端末を備え、ユーザ端末及び／又は携帯端末が、緊急事態信号を送信する緊急通報手段を備え、ＭＳＤＳ管理端末が、緊急事態信号を送信してきたユーザ端末及び／又は携帯端末と、化学物質安全データシートの提供先である一又は二以上のユーザ端末及び／又は携帯端末とを関連付けた提供先テーブルを記憶する記憶手段と、緊急事態信号を受信すると、提供先テーブルを参照して、一又は二以上のユーザ端末及び／又は携帯端末を抽出する制御手段と、抽出したユーザ端末及び／又は携帯端末に対して化学物質安全データシートを送信する送信手段とを有した構成としてある。
【００１０】
また、本発明のＭＳＤＳ提供方法は、通信回線に接続された一又は二以上の端末に対して化学物質安全データシートを提供するＭＳＤＳ提供方法であって、ＭＳＤＳ管理端末の記憶手段が、緊急事態信号を送信してくるユーザ端末及び／又は携帯端末と、化学物質安全データシートの提供先である一又は二以上のユーザ端末及び／又は携帯端末とを関連付けた提供先テーブルを記憶し、ユーザ端末及び／又は携帯端末の緊急通報手段が、ＭＳＤＳ管理端末に緊急事態信号を送信し、ＭＳＤＳ管理端末の制御手段が、緊急事態信号を受信すると、提供先テーブルを参照して、一又は二以上のユーザ端末及び／又は携帯端末を抽出し、ＭＳＤＳ管理端末の作成手段が、化学物質に関する情報をデータベース端末から受信して化学物質安全データシートを作成し、ＭＳＤＳ管理端末の送信手段が、制御手段で抽出されたユーザ端末及び／又は携帯端末に対して化学物質安全データシートを送信し、ユーザ端末及び／又は携帯端末が、ＭＳＤＳ管理端末から化学物質安全データシートを取得して表示する方法としてある。
【００１２】
また、本発明のＭＳＤＳ提供プログラムは、通信回線に接続された一又は二以上の端末に対して化学物質安全データシートを提供する処理をＭＳＤＳ管理端末に実行させるＭＳＤＳ提供プログラムであって、緊急事態信号を送信してくるユーザ端末及び／又は携帯端末と、化学物質安全データシートの提供先である一又は二以上のユーザ端末及び／又は携帯端末とを関連付けた提供先テーブルを記憶する処理と、ユーザ端末及び／又は携帯端末から送信された緊急事態信号を受信すると、提供先テーブルを参照して、一又は二以上のユーザ端末及び／又は携帯端末を抽出する処理と、化学物質に関する情報をデータベース端末から受信して化学物質安全データシートを作成する処理と、制御手段で抽出されたユーザ端末及び／又は携帯端末に対して化学物質安全データシートを送信する処理とをＭＳＤＳ管理端末に実行させる構成としてある。
【発明の効果】
【００１３】
以上のように、本発明によれば、化学物質安全データシートを構成する情報のすべてが１枚に収まっており、各項目が記載枠で仕切られていて、見易くなっていることから、化学物質に関する情報を即座に理解できる。このため、被災者への救済措置を迅速に行うことが可能となり、ＭＳＤＳ制度本来の役割を果たすことができる。
【発明を実施するための最良の形態】
【００１４】
以下、本発明に係るＭＳＤＳ作成提供システム、ＭＳＤＳ提供方法及びＭＳＤＳ提供プログラムの好ましい実施形態について、図面を参照して説明する。
なお、各実施形態においては、「製品」と「化学物質」を同義で用いる場合がある。
また、特定の法律においては、ＭＳＤＳに記載すべき事項が定められているが、本明細書の各実施形態においては、そのうちの一部の事項のみ記載されたものについても「ＭＳＤＳ」又は「目で見るＭＳＤＳ」というものとする。
【００１５】
［第一実施形態］
（Ｉ）化学物質安全データシート（目で見るＭＳＤＳ）
まず、本発明の化学物質安全データシート（目で見るＭＳＤＳ）の実施形態について、図１を参照して説明する。
同図は、目で見るＭＳＤＳの全体構成を示す正面図である。
【００１６】
本実施形態の目で見るＭＳＤＳは、図６２に示す一般的なＭＳＤＳと比較して、主に次の点で異なる。
(１)全体構成（各項目の配置）
(２)記載枠
(３)挿絵の挿入
(４)情報の表現の単純化
(５)〜(７)その他
このように、本実施形態の目で見るＭＳＤＳは、一般的なＭＳＤＳのように単に情報を列記したものでなく、視覚を重視し、必要な情報が一目で把握・理解できるようにしてある。このため、本実施形態では、単に「ＭＳＤＳ」とせず、「目で見るＭＳＤＳ」との名称を用いて、以下説明する。
【００１７】
(１)全体構成
本実施形態の目で見るＭＳＤＳは、一つの製品に関する情報のすべてが１枚の用紙に収めてある。例えば、図１に示すように、イソプロピルアルコール（ＩＰＡ）という製品に関する情報を、１枚の用紙に収めてある。これにより、わざわざページをめくることなく（ユーザ端末３０ａ（後述）などの画面上ではスクロールすることなく）、一目で即座に必要な情報を取得できる。
【００１８】
この目で見るＭＳＤＳは、全体構成がおおよそ次のようになっている。
目で見るＭＳＤＳを「上段部」、「中段部」、「下段部」の三つの部分に分ける。
上段部には、製品名や適用法令などの基本的情報を記載してある。
中段部には、取扱者向けの救急措置，火災時の措置，漏洩時の措置などを記載してある。
下段部には、管理者向けのやや専門的な、暴露防止措置，設備対策，性状や危険・有害性などの情報、および連絡先を記載してある。
これらのうち、救急時、火災時、漏洩時の措置は、取扱者に最も伝えたい事項であり、緊急時には即座に必要となる情報である。このため、取扱者が最も目を引く中段部に、それら措置が記載されている。
【００１９】
(２)記載枠
目で見るＭＳＤＳは、図２に示すように、記載枠が設けてある。
記載枠とは、目で見るＭＳＤＳに記載される各項目や各情報のレイアウトに応じて、項目ごとに区切った線をいう。
この記載枠を設けることにより、単に文章を羅列してあるだけのＭＳＤＳ（図６２参照）に比べて、見易さが向上する。
【００２０】
また、記載枠の大きさにより、重要度を表現できる。
例えば、緊急時の措置に関する項目のように重要度の高いものについては、記載枠の面積を大きくとる。一方、沸点や融点、比重などのように、重要度の低い項目については、記載枠の面積を小さくする。
これにより、重要度の高い情報と低い情報とをメリハリを付けて表示することができる。このため、緊急事態の発生時には、一目で緊急時の措置を知得でき、迅速な対応を取ることができる。
【００２１】
さらに、記載枠の大きさに応じて、項目名や各情報を示す文字の大きさを変えることができる。
これまでのＭＳＤＳは、タイトル以外は、どの文字の大きさもほとんど同じであった（図６２参照）。
これに比べて、本実施形態の目で見るＭＳＤＳは、項目の重要度に応じて文字の大きさを変えてある。例えば、「救急措置」や「火災時の措置」などは大きな文字で記載してある。これに対し、「化学・成分・含有量・化学式」や「取扱い及び保管上の注意」などは小さな文字で記載してある。
これにより、注視されるべき項目が、目に入りやすくなる。このため、その記載された措置を迅速に把握し実行できる。
【００２２】
(３)挿絵の挿入
中段部に記載された救急措置，火災時の措置，漏洩時の措置については、文章だけでなく挿絵も記載してある。挿絵は、関係する動作や状態、道具、対象物などを表した絵図であり、次のようなものが含まれる。
・措置を行っている様子：眼の洗浄、手洗い、消火器による消火など
・措置に用いる物：水道の蛇口、ベッド、消火器など
・措置を受ける身体的部分：目、口、鼻、手足、または人体の全体など
こうした措置に関する挿絵を掲載することで、措置の内容を一目で即座に把握でき、緊急時に迅速な対応をとることができる。
【００２３】
なお、挿絵は、本実施形態においては、中段部にのみ記載してあるが、中段部に限るものではなく、上段部や下段部に記載することもできる。
また、挿絵は、本実施形態においては、救急措置等について記載してあるが、救急措置等に限るものではなく、他の事項について挿絵を用いることもできる。
【００２４】
(４)情報の表現の単純化
各事項に記載された情報は、表現を単純化・簡略化してある。この単純化等には、文章の単純化等と、挿絵による単純化等とがある。
例えば、救急措置の「吸入した場合」の事項においては、「被災者を直ちに空気の新鮮な場所に移動させる」を「直ちに空気の新鮮な場所に移す」のように、文章を単純化等してある（図６２及び図１参照）。
また、救急措置の「皮膚に触れた場合」の事項においては、「石けんを使ってよく洗い落とす」を、石けんの挿絵を使って表示している。
このように表現を単純化等すれば、内容の把握が容易となり、迅速な措置が可能となる。
【００２５】
(５)アラーム表現
アラーム表現とは、危険性や有害性の高い製品に関し、特に注意すべき事項を、ＭＳＤＳ上で、他の事項よりもさらに目立つように強調して記載した警告表記をいう。
具体的には、例えば、「使用不可！」、「火気厳禁！」などを赤色や黄色で表記したものをいう。
このアラーム表現は、目で見るＭＳＤＳにおいては、他の事項の上に重ねて表示することができる。また、別枠を設けたり、枠外に表記したりすることができる。
なお、アラーム表現は、図１等には記載していない。
【００２６】
(６)危険有害度記号
危険有害度記号は、製品の危険有害度を記号で示したものであって、具体的には、該当する法令の数を「●」の数で表したものである。
例えば、「●」の数が３つの場合は、当該製品が３つの法令に適用していることを示している。つまり、「●」の数が多いほど、適用法令数が多く、危険有害度が高いことを示している。
【００２７】
「●」の数の最大は、５つである。このときの適用法令は、次のようになる。
＜危険有害度が５の場合＞
・有機溶剤中毒予防規則（有機則）に規定されている有機溶剤に該当
・消防法に規定されている危険物に該当
・毒物及び劇物取締法に規定されている劇物に該当
・廃棄物の処理及び清掃に関する法律（廃掃法）の特別管理廃棄物に該当
・その他法令、告示に該当
この危険有害度記号は、例えば、図１に示すように、目で見るＭＳＤＳの右上の記載枠外に記載することができる。ただし、危険有害度記号は、右上の記載枠外に記載することに限るものではなく、任意の位置に記載することができる。
【００２８】
(７)適用法令の識別
製品がどの法令に適用しているかを、色や装飾などを用いて表すことができる。これにより、適用の有無や適用する法令を視覚的に識別できる。
この識別の具体例を、(7-1)〜(7-3)に示す。
【００２９】
(7-1)用紙の色による識別
例えば、有機溶剤の種類を用紙の色により識別させることができる。
＜例＞
第１種有機溶剤・・・赤色地
第２種有機溶剤・・・黄色地
第３種有機溶剤・・・青色地
【００３０】
(7-2)印字の色による識別
例えば、劇物とそれ以外とを印字の色により識別させることができる。
＜例＞
劇物    ・・・赤色印字
劇物以外・・・黒色印字
【００３１】
(7-3)網掛けによる識別
例えば、危険物とそれ以外とを、サイド枠の網掛けにより識別させることができる。
＜例＞
危険物    ・・・サイド枠を網掛け装飾
危険物以外・・・サイド枠を白抜き（装飾せず）
【００３２】
サイド枠とは、図２に示すように、目で見るＭＳＤＳの右縁部と左縁部のそれぞれに設けられた装飾用領域をいう。
なお、本実施形態においては、このサイド枠を網掛けで装飾することとしているが、網掛けに限るものではなく、例えば、塗り潰し（ベタ塗り）や、２色以上の組み合わせ（赤色と黄色とのストライプなど）などでもよい。
【００３３】
また、本実施形態においては、適用法令の識別の例示としてこれら(7-1)〜(7-3)を挙げたが、識別の仕方は、これらに限るものではなく、任意に定めることができる。例えば、用紙の色により危険物か否かを表したり、サイド枠の網掛けの有無により廃掃法の特別管理廃棄物に該当しているか否かを表したりすることもできる。
【００３４】
（II）ＭＳＤＳ作成提供システム
次に、本発明のＭＳＤＳ作成提供システムの実施形態について、図３を参照して説明する。
同図は、本実施形態のＭＳＤＳ作成提供システムの構成を示すブロック図である。
【００３５】
同図に示すように、ＭＳＤＳ作成提供システム１ａは、データベース端末１０と、ＭＳＤＳ管理端末２０ａと、ユーザ端末３０ａと、携帯端末４０ａと、通信回線５０とを備えている。
これらのうち、データベース端末１０とＭＳＤＳ管理端末２０ａは、ＭＳＤＳの提供者側（管理者側）に備えられた装置であり、一方、ユーザ端末３０ａと携帯端末４０ａは、ＭＳＤＳの提供を受ける側（ユーザ側）に備えられた装置である。
【００３６】
そして、本実施形態のＭＳＤＳ作成提供システム１ａにおいては、ＭＳＤＳの提供者による操作により、ＭＳＤＳ管理端末２０ａが、データベース端末１０から必要な情報を受信し、この情報を用いて目で見るＭＳＤＳを作成し、保存する。
その後、ユーザによる操作により、ユーザ端末３０ａ又は携帯端末４０ａが、ＭＳＤＳ管理端末２０ａから目で見るＭＳＤＳをダウンロードして表示する。
【００３７】
ここで、データベース端末１０は、プログラム制御により動作するコンピュータであって、図４に示すように、記憶手段１１と、通信手段１２と、制御手段１３とを有している。
記憶手段１１は、ＭＳＤＳに掲載される情報を記憶する。この情報は、製品別（又は、化学物質別）、事項別に記憶されている。
製品別又は化学物質別とは、例えば、アジ化バリウムや亜硫酸水素ナトリウムのように、製品ごと又は化学物質ごとに情報が分けられることをいう。
【００３８】
事項別とは、「特定化学物質の環境への排出量の把握等および管理の改善の促進に関する法律」（化学物質管理促進法、ＰＲＴＲ法）の経済産業法令で定められた事項を考慮して分類したものをいう。
事項の例としては、次のものが挙げられる。
・製品名、含有する対象物質の名称、政令上の号番号・種類、含有率
・化学物質が漏出した際に必要な措置
・取扱い上及び保管上の注意
・物理的・化学的性状
・安定性・反応性
・有害性・暴露性（これらの概要）
・廃棄上及び輸送上の注意
・応急措置、火災時に必要な措置、労働者に対する暴露防止措置等
・適用される法令
なお、これら以外の事項も、ＭＳＤＳに掲載することができる。
【００３９】
通信手段１２は、通信回線５０を介して、他の装置との間で所定のデータの送受信を実行する。例えば、通信手段１２は、ＭＳＤＳ管理端末２０ａから送信されてきた製品名一覧送信要求信号、選択製品名、製品情報送信要求信号の受信、製品名一覧、製品情報の送信を行う。
制御手段１３は、例えば、ＣＰＵ（Ｃｅｎｔｒａｌ  Ｐｒｏｃｅｓｓｉｎｇ  Ｕｎｉｔ）により構成することができ、記憶手段１１に記憶されているプログラムを読み込んで実行することにより、データベース端末１０の構成各部に指令を送り、又は自ら動作して、データベース端末１０の有する各種機能を実行・制御する。
【００４０】
また、制御手段１３は、ＭＳＤＳ管理端末２０ａから製品名一覧送信要求信号が送られてくると、記憶手段１１から製品名を抽出し、一覧としてＭＳＤＳ管理端末２０ａへ送信する。
さらに、制御手段１３は、ＭＳＤＳ管理端末２０ａから製品情報送信要求信号及び選択製品名が送られてくると、その製品名に関する製品情報を記憶手段１１から抽出し、ＭＳＤＳ管理端末２０ａへ送信する。
なお、本実施形態において、データベース端末１０は、記憶手段１１と、通信手段１２と、制御手段１３とを有した構成としてあるが、これに限るものではなく、例えば、入力手段、表示手段、印刷手段などを有することもできる。
【００４１】
ＭＳＤＳ管理端末２０ａは、例えば、情報を提供するサービスセンターに設置されたワークステーション・サーバ等の情報処理装置を用いることができる。
このＭＳＤＳ管理端末２０ａは、図５に示すように、記憶手段２１ａと、通信手段２２と、表示手段２３と、入力手段２４と、ＭＳＤＳ作成手段２５と、印刷手段２６と、制御手段２７とを有している。
【００４２】
記憶手段２１ａは、ＭＳＤＳ管理端末２０ａの有する各種機能に関するデータやプログラムを記憶する。
この記憶手段２１ａは、同図に示すように、製品情報等記憶部２１１と、事業者情報記憶部２１２と、フレーム記憶部２１３と、挿絵記憶部２１４と、目で見るＭＳＤＳ記憶部２１５とを有している。
【００４３】
製品情報等記憶部２１１は、データベース端末１０から送信されてきた製品名一覧や製品情報を記憶する。
事業者情報記憶部２１２は、その製品又は化学物質を製造販売する事業者に関する情報、目で見るＭＳＤＳを提供する事業者に関する情報（事業者情報）を記憶する。事業者情報には、例えば、事業者名、住所、担当者の連絡先などが含まれる。
【００４４】
フレーム記憶部２１３は、目で見るＭＳＤＳを構成する枠組み（フレーム）を一又は二以上記憶する。
フレームの例としては、例えば、図６、図７に示すものがある。図６に示すフレームは、縦サイズの用紙（Ａ４サイズ縦など）に対応したもの、図７に示すフレームは、横サイズの用紙（Ａ４サイズ横など）に対応したものである。
なお、枠組みは、記載枠（図２参照）と項目名で構成されている。ただし、項目名を省略し記載枠のみで枠組みを構成することもできる。
【００４５】
挿絵記憶部２１４は、目で見るＭＳＤＳに掲載可能な挿絵を記憶する。
挿絵は、一つの事項に対して一又は二以上用意されている。
この挿絵の具体例としては、例えば、図８(ｉ)〜(iv)に示すようなものがある。すなわち、手洗いに関する挿絵として、洗面台を上から見たところ（同図(i)）、手を洗う人を正面から見たところ（同図(ii)）、手と蛇口を横から見たところ（同図(iii)）、洗面台と人と蛇口を横から見たところ（同図(iv)）などがある。
なお、挿絵の絵柄や用意される挿絵の数は、特に制限されるものではない。
【００４６】
目で見るＭＳＤＳ記憶部２１５は、ＭＳＤＳ作成手段２５で作成された目で見るＭＳＤＳを記憶する。
通信手段２２は、通信回線５０を介して、他の装置との間で所定のデータの送受信を実行する。例えば、データベース端末１０への製品名一覧送信要求信号，選択製品名，製品情報送信要求信号の送信、データベース端末１０からの製品名一覧，製品情報の受信、ユーザ端末３０ａや携帯端末４０ａからのＭＳＤＳ送信要求信号の受信、ユーザ端末３０ａや携帯端末４０ａへの目で見るＭＳＤＳの送信などを実行する。
【００４７】
表示手段２３は、所定の画面、特に、目で見るＭＳＤＳの作成に関する画面を表示する。
具体的には、例えば、目で見るＭＳＤＳ作成開始画面、製品一覧画面と、事業者情報入力画面、フレーム選択画面などを表示する。
目で見るＭＳＤＳ作成開始画面は、図９に示すように、タイトル文（例えば、目で見るＭＳＤＳの作成を開始することを表すものなど）と、実行開始ボタンと、キャンセルボタンとを表示する。
製品一覧画面は、図１０に示すように、製品名を列記した画面である。提供者は、入力手段２４を操作して、一つの製品名を選択することができる。
【００４８】
事業者情報入力画面は、図１１に示すように、目で見るＭＳＤＳの構成項目のうち事業者に関係する情報について、その内容を入力可能にしたものである。
フレーム選択画面は、図１２に示すように、複数のフレームを表示し、いずれか一つを選択可能にしたものである。
【００４９】
入力手段２４は、ＭＭＩ（Ｍａｎ  Ｍａｃｈｉｎｅ  Ｉｎｔｅｒｆａｃｅ）やポインティングデバイスなどで構成することができ、ユーザ（目で見るＭＳＤＳの作成者）により操作される。この入力手段２４には、例えば、マウス、キーボード、トラックボール、トラックパッドなどが含まれる。
【００５０】
ＭＳＤＳ作成手段２５は、ＭＳＤＳ提供プログラムの実行にもとづいて、目で見るＭＳＤＳを作成する。この作成の手順については、後記の「（III）ＭＳＤＳ作成方法」で詳述する。
印刷手段２６は、所定の図表やデータなどを印字出力する。特に、作成された目で見るＭＳＤＳを印字出力する。
制御手段２７は、例えば、ＣＰＵにより構成することができ、記憶手段２１ａに記憶されているプログラムを読み込んで実行することにより、ＭＳＤＳ管理端末２０ａの構成各部に指令を送り、又は自ら動作して、ＭＳＤＳ管理端末２０ａの有する各種機能を実行・制御する。
【００５１】
ユーザ端末３０ａは、ユーザが操作する情報処理装置（パーソナルコンピュータ）であって、図１３に示すように、記憶手段３１と、通信手段３２と、表示手段３３と、入力手段３４と、印刷手段３５と、制御手段３６とを有している。
記憶手段３１は、ユーザ端末３０ａの有する各種機能に関するデータやプログラムを記憶する。
通信手段３２は、通信回線５０を介して、他の装置との間で所定のデータの送受信を実行する。例えば、ＭＳＤＳ管理端末２０ａへのＭＳＤＳ送信要求信号の送信、ＭＳＤＳ管理端末２０ａから送信されてきた目で見るＭＳＤＳの受信などを実行する。
【００５２】
表示手段３３は、所定の表示画面、特に目で見るＭＳＤＳを表示する。
入力手段３４は、ＭＭＩやポインティングデバイスなど（具体的には、例えば、マウス、キーボード、トラックボール、トラックパッドなど）で構成することができ、ユーザにより操作される。
【００５３】
印刷手段３５は、所定の図表やデータなどを印字出力する。特に、目で見るＭＳＤＳを印字出力する。
制御手段３６は、例えば、ＣＰＵにより構成することができ、記憶手段３１に記憶されているプログラムを読み込んで実行することにより、ユーザ端末３０ａの構成各部に指令を送り、又は自ら動作して、ユーザ端末３０ａの有する各種機能を実行・制御する。
【００５４】
携帯端末４０ａは、ユーザが操作する携帯端末であって、図１４に示すように、記憶手段４１と、通信手段４２と、表示手段４３と、入力手段４４と、制御手段４５とを有している。
記憶手段４１は、携帯端末４０ａの有する各種機能に関するデータやプログラムを記憶する。
通信手段４２は、通信回線５０を介して、他の装置との間で所定のデータの送受信を実行する。例えば、ＭＳＤＳ管理端末２０ａへのＭＳＤＳ送信要求信号の送信、ＭＳＤＳ管理端末２０ａから送信されてきた目で見るＭＳＤＳの受信を実行する。
【００５５】
表示手段４３は、所定の表示画面、特に目で見るＭＳＤＳを表示する。
入力手段４４は、複数のキーなどで構成することができ、ユーザにより操作される。
制御手段４５は、例えば、ＣＰＵにより構成することができ、記憶手段４１に記憶されているプログラムを読み込んで実行することにより、携帯端末４０ａの構成各部に指令を送り、又は自ら動作して、携帯端末４０ａの有する各種機能を実行・制御する。
【００５６】
通信回線５０は、従来公知の任意好適な公衆回線、商業回線又は専用回線を用いることができる。具体的には、例えば、携帯端末網，公衆回線網，専用回線網，インタネット、イントラネット、ＬＡＮ（Ｌｏｃａｌ  Ａｒｅａ  Ｎｅｔｗｏｒｋ）等により構成することができる。
【００５７】
ＭＳＤＳ作成提供システムをこのような構成とすれば、情報処理装置であるユーザ端末や携帯端末を操作して、必要なときに、目で見るＭＳＤＳを取得し、画面表示させることができる。このため、ユーザは、製品に関する情報を容易に把握可能な目で見るＭＳＤＳを簡易な操作で手軽に取得できる。
また、携帯端末でも目で見るＭＳＤＳを取得可能なことから、ユーザは、携帯端末の常備性を活かして、場所や時間を選ばず、いつでもどこでも目で見るＭＳＤＳを取得し、その内容を確認できる。
特に、化学物質の漏洩等、緊急事態が発生した場合には、ユーザ端末の設置されている場所までわざわざ行かなくても、その場で、携帯端末を取り出し、操作して、目で見るＭＳＤＳを取得することができる。これにより、その緊急事態が発生しても迅速な対応が可能となる。
【００５８】
（III）ＭＳＤＳ作成方法
次に、ＭＳＤＳ管理端末にて目で見るＭＳＤＳを作成する方法について、図１５を参照して説明する。
同図は、本実施形態のＭＳＤＳ作成方法の動作手順を示すフローチャートである。
【００５９】
同図に示すように、ＭＳＤＳ管理端末２０ａにて、ＭＳＤＳ作成方法を実行するためのプログラム（ＭＳＤＳ作成プログラム）が起動されると（ステップ１０１）、表示手段２３は、図９に示す目で見るＭＳＤＳ作成開始画面を表示する（ステップ１０２）。
次いで、提供者による入力手段２４の操作により、実行開始ボタンが選択されると、ＭＳＤＳ作成手段２５は、製品選択処理を実行し（ステップ１０３）、製品名を選択する。なお、この製品選択処理の詳細については、後述する。
【００６０】
続いて、表示手段２３は、図１１に示す事業者情報入力画面を表示する（ステップ１０４）。そして、提供者による入力手段２４の操作により、目で見るＭＳＤＳを提供する事業者に関する情報等（事業者情報）が入力される（ステップ１０５）。
さらに、ＭＳＤＳ作成手段２５は、フレーム選択処理（ステップ１０６）、挿絵選択処理（ステップ１０７）を実行する。なお、これらフレーム選択処理と挿絵選択処理の詳細については、後述する。
【００６１】
ＭＳＤＳ作成手段２５は、それらステップ１０３，１０５，１０７で取得・入力した各情報を、ステップ１０６で選択されたフレームにおける所定の箇所にレイアウトし（ステップ１０８）、表示手段２３に表示させる（ステップ１０９）。
ここで、その表示された目で見るＭＳＤＳの内容について変更が必要な場合は、提供者による入力手段２４の操作により変更され（ステップ１１０）、変更後の目で見るＭＳＤＳが表示手段２３に再度表示されて（ステップ１１１）、提供者によりその内容が確認される。
【００６２】
目で見るＭＳＤＳが完成したときは、このデータが、ＭＳＤＳ管理端末２０ａの記憶手段２１ａの目で見るＭＳＤＳ記憶部２１５に記憶（登録）される（ステップ１１２）。
続いて、他の製品について目で見るＭＳＤＳを作成するときは（ステップ１１３の「Ｎｏ」）、ステップ１０２〜ステップ１１２の処理が実行される。一方、作成しないときは（ステップ１１３の「Ｙｅｓ」）、終了する。
【００６３】
次に、製品選択処理について、図１６を参照して説明する。
同図は、ＭＳＤＳ管理端末における製品選択処理の動作手順を示すフローチャートである。
ＭＳＤＳ管理端末２０ａの表示手段２３が、目で見るＭＳＤＳ作成開始画面を表示し（図１５のステップ１０２）、提供者による入力手段２４の操作により実行開始ボタンが押下されると、次いで、ＭＳＤＳ作成手段２５が、通信手段２２及び通信回線５０を介してデータベース端末１０へ、製品名一覧送信要求信号を送信する（図１６のステップ２０１）。
データベース端末１０の通信手段１２は、製品名一覧送信要求信号を受信する。次いで、制御手段１３は、記憶手段１１から製品名を抽出し、一覧として、ＭＳＤＳ管理端末２０ａへ送信する。
【００６４】
ＭＳＤＳ管理端末２０ａの通信手段２２は、その製品名の一覧を受信（取得）する（ステップ２０２）。記憶手段２１ａの製品情報等記憶部２１１は、その取得された製品名一覧を記憶する。表示手段２３は、その製品名一覧を、図１０に示すように表示する（ステップ２０３）。
提供者による入力手段２４の操作により、表示手段２３に表示された製品名の一覧の中から一つの製品名が選択される（ステップ２０４）。
この選択された製品名が、選択製品名として、製品情報送信要求信号とともに、通信手段２２及び通信回線５０を介して、データベース端末１０へ送信される（ステップ２０５）。
【００６５】
データベース端末１０の通信手段１２は、製品情報送信要求信号及び選択製品名を受信する。制御手段１３は、記憶手段１４から、その選択製品名に関する情報（製品情報）を取り出す。そして、この取り出した製品情報を、通信手段１２を介してＭＳＤＳ管理端末２０ａへ送信する。
ＭＳＤＳ管理端末２０ａの通信手段２２は、製品情報を受信し、記憶手段２１ａの製品情報等記憶部２１１は、その製品情報を記憶する（ステップ２０６）。
【００６６】
次に、フレーム選択処理について、図１７を参照して説明する。
同図は、ＭＳＤＳ管理端末におけるフレーム選択処理の動作手順を示すフローチャートである。
同図に示すように、ＭＳＤＳ管理端末２０ａのＭＳＤＳ作成手段２５は、記憶手段２１ａのフレーム記憶部２１３から各フレームの一覧（名称の一覧、サムネイルなど）を取得し（ステップ３０１）、このフレーム一覧が掲載されたフレーム選択画面（図１２参照）を表示手段２３に表示させる（ステップ３０２）。
提供者による入力手段２４の操作により、表示手段２３に表示されたフレームの一覧の中から一つのフレームが選択・決定される（ステップ３０３）。フレーム記憶部２１３は、その決定されたフレームを選択フレームとして記憶する（ステップ３０４）。
【００６７】
次に、挿絵選択処理について、図１８を参照して説明する。
同図は、ＭＳＤＳ管理端末における挿絵選択処理の動作手順を示すフローチャートである。
同図に示すように、ＭＳＤＳ管理端末２０ａのＭＳＤＳ作成手段２５は、挿絵記憶部２１４から挿絵の一覧（挿絵の名称の一覧、サムネイルなど）を取得すると（ステップ４０１）、この挿絵一覧が掲載された挿絵選択画面を表示手段２３に表示させる（ステップ４０２）。
提供者による入力手段２４の操作により、表示手段２３に表示された挿絵の一覧の中から一つの挿絵が選択される（ステップ４０３）。
この選択された挿絵が、選択挿絵として、挿絵記憶部２１４に記憶される（ステップ４０４）。
【００６８】
（IV）ＭＳＤＳ提供方法
次に、目で見るＭＳＤＳの取得・表示処理（ＭＳＤＳ提供方法）について、図１９を参照して説明する。
なお、目で見るＭＳＤＳの取得・表示処理は、ユーザ端末３０ａ又は携帯端末４０ａのいずれにおいても実行可能であるが、ここでは、携帯端末４０ａでの処理について説明する。
よって、図１９は、携帯端末４０ａにて目で見るＭＳＤＳを取得する方法の処理手順を示す。
【００６９】
同図に示すように、携帯端末４０ａにて、目で見るＭＳＤＳを取得するためのプログラム（ＭＳＤＳ提供プログラム）が起動されると（ステップ５０１）、携帯端末４０ａの通信手段４２は、製品名の一覧の送信を要求する信号（製品名一覧送信要求信号）を、通信回線５０を介してＭＳＤＳ管理端末２０ａへ送信する（ステップ５０２）。
ＭＳＤＳ管理端末２０ａの通信手段２２は、製品名一覧送信要求信号を受信すると、制御手段２７は、記憶手段２１ａの製品情報等記憶部２１１から、製品名の一覧を取り出し、携帯端末４０ａへ送信する。
【００７０】
携帯端末４０ａの通信手段４２は、製品名の一覧を受信（取得）し、表示手段４３に表示させる（ステップ５０３）。
ユーザによる入力手段４４の操作により、表示手段４３に表示された製品名の一覧の中から一つの製品名が選択される（ステップ５０４）。
制御手段３６は、その選択された製品名を、選択製品として、ＭＳＤＳ送信要求信号とともに、通信手段４２及び通信回線５０を介して、ＭＳＤＳ管理端末２０ａへ送信する（ステップ５０５）。
【００７１】
ＭＳＤＳ管理端末２０ａの通信手段２２は、ＭＳＤＳ送信要求信号及び選択製品を受信すると、制御手段２７は、記憶手段２１ａの目で見るＭＳＤＳ記憶部２１５から、その製品に関する目で見るＭＳＤＳを取り出す。そして、この取り出した目で見るＭＳＤＳを、携帯端末４０ａへ送信する。
携帯端末４０ａの通信手段４２は、目で見るＭＳＤＳを受信し、表示手段４３に表示させる（ステップ５０６）。
【００７２】
以上説明したように、本実施形態のＭＳＤＳ作成提供システム、ＭＳＤＳ提供方法及びＭＳＤＳ提供プログラムによれば、目で見るＭＳＤＳを携帯端末で受信して画面表示することができる。
これにより、ユーザ端末のように固定された場所ではなく、任意の場所で、いつでも目で見るＭＳＤＳを取得できる。
【００７３】
［第二実施形態］
次に、本発明のＭＳＤＳ作成提供システム、ＭＳＤＳ提供方法及びＭＳＤＳ提供プログラムの第二実施形態について、図２０を参照して説明する。
同図は、本実施形態のＭＳＤＳ作成提供システムの構成を示すブロック図である。
本実施形態は、第一実施形態と比較して、目で見るＭＳＤＳの検索の仕方が相違する。すなわち、第一実施形態では、検索ワードが製品名であったのに対し、本実施形態では、検索ワードが、法令，分類，ＭＳＤＳを構成する項目などである。他の構成要素は第一実施形態と同様である。
したがって、図２０において、図１等と同様の構成部分については同一の符号を付して、その詳細な説明を省略する。
【００７４】
図２０に示すように、本実施形態のＭＳＤＳ作成提供システム１ｂは、データベース端末１０と、ＭＳＤＳ管理端末２０ｂと、ユーザ端末３０ｂと、携帯端末４０ｂと、通信回線５０とを備えている。
なお、以下の説明においては、便宜上、携帯端末４０ｂ、ユーザ端末３０ｂ、ＭＳＤＳ管理端末２０ｂの順に詳述する。
【００７５】
携帯端末４０ｂは、記憶手段４１ｂと、通信手段４２ｂと、表示手段４３ｂと、入力手段４４ｂと、制御手段４５ｂとを有している。
これらのうち、記憶手段４１ｂは、本実施形態のＭＳＤＳ作成方法、ＭＳＤＳ提供方法を実行するためのプログラムを記憶する。また、記憶手段４１ｂは、表示手段４３ｂで表示される区分選択画面、区分別化学物質選択画面、表示項目選択画面を構成するデータを記憶する。
【００７６】
通信手段４２ｂは、区分選択画面送信要求信号，区分別化学物質選択画面送信要求信号，表示項目選択画面送信要求信号，選択化学物質，ＭＳＤＳ送信要求信号，選択項目をＭＳＤＳ管理端末２０ｂへ送信する。
また、通信手段４２ｂは、区分選択画面構成データ，区分別化学物質選択画面，表示項目選択画面構成データ，ＭＳＤＳ構成データなどをＭＳＤＳ管理端末２０ｂから受信する。
【００７７】
表示手段４３ｂは、図２１に示す区分選択画面、図２２に示す区分別化学物質選択画面、図２３に示す表示項目選択画面などを表示する。
区分選択画面は、目で見るＭＳＤＳが作成される複数の化学物質をなんらかの区分に分けることができる場合に、その区分名を表示して、その区分を選択可能にした画面である。区分には、例えば、適用される法令別，法令で規定された名称別（第一種〜第三種有機溶剤等）などがある。
【００７８】
区分別化学物質選択画面は、区分選択画面で選択された区分に属する化学物質の一覧を表示する画面である。この画面に表示された複数の化学物質の中から一つの化学物質を選択することができ、この選択された化学物質についての目で見るＭＳＤＳが取得・表示される。
表示項目選択画面は、目で見るＭＳＤＳを構成する項目全体のうち、取得・表示したい項目を選択するための画面である。
この項目選択画面には、例えば、「全項目」、「基本的事項」、「緊急時措置」、「専門的事項」、「項目別選択」などが表示される。
「全項目」は、その化学物質についてＭＳＤＳに通常掲載される項目のすべてを目で見るＭＳＤＳに掲載させたい場合に選択される。選択された場合、図１に示すような目で見るＭＳＤＳが表示される。
【００７９】
「基本的事項」は、ＭＳＤＳの構成項目のうち、化学名、成分、含有量、化学式、適用法令、危険有害性分類など、その製品についての基本的な事項を目で見るＭＳＤＳに掲載させたい場合に選択される。選択された場合、図２４に示すような目で見るＭＳＤＳが表示される。
「緊急時措置」は、ＭＳＤＳの構成項目のうち、救急措置、火災時の措置、漏洩時の措置など、緊急時に取扱者が取り得る措置を目で見るＭＳＤＳに掲載させたい場合に選択される。選択された場合、図２５に示すような目で見るＭＳＤＳが表示される。
「専門的事項」は、ＭＳＤＳの構成項目のうち、取扱い及び保管上の注意、暴露防止措置、物理化学的性状、危険情報、有害性情報等、管理者向けのやや専門的な事項を目で見るＭＳＤＳに掲載させたい場合に選択される。選択された場合、図２６に示すような目で見るＭＳＤＳが表示される。
【００８０】
「項目別選択」は、項目を一つずつ選びたい場合に選択される。
この「項目別選択」が選択されると、次いで、図２７に示す項目別選択画面が表示される。
項目別選択画面は、各項目が列記した状態で画面に表示され、それら項目を一つ一つ選択可能となっている。この選択された一又は二以上の項目により目で見るＭＳＤＳが構成される。
例えば、「適用法令」と「火災時の措置」と「危険性情報」が選択されたときは、図２８に示すような目で見るＭＳＤＳが作成され表示される。
【００８１】
入力手段４４ｂは、ユーザによる操作により、区分選択画面に表示された区分の選択、区分別化学物質選択画面に表示された区分別化学物質物質名（製品名）の選択、表示項目選択画面に表示された項目の選択などを行う。
【００８２】
制御手段４５ｂは、区分選択画面送信要求信号の送信処理、区分別化学物質選択画面送信要求信号の送信処理、表示項目選択画面送信要求信号及び選択化学物質の送信処理、ＭＳＤＳ送信要求信号及び選択項目の送信処理などを実行する。
【００８３】
ユーザ端末３０ｂは、記憶手段３１ｂと、通信手段３２ｂと、表示手段３３ｂと、入力手段３４ｂと、印刷手段３５と、制御手段３６ｂとを有している。
これら記憶手段３１ｂ，通信手段３２ｂ，表示手段３３ｂ，入力手段３４ｂ，制御手段３６ｂは、それぞれ携帯端末４０ｂの記憶手段４１ｂ，通信手段４２ｂ，表示手段４３ｂ，入力手段４４ｂ，制御手段４５ｂと同様の機能を有している。
【００８４】
ＭＳＤＳ管理端末２０ｂは、図２９に示すように、記憶手段２１ｂと、通信手段２２と、表示手段２３と、入力手段２４と、ＭＳＤＳ作成手段２５と、印刷手段２６と、制御手段２７ｂとを有している。
記憶手段２１ｂは、同図に示すように、表示画面記憶部２１６を有している。
表示画面記憶部２１６は、上記の区分選択画面、区分別化学物質選択画面、表示項目選択画面、項目別選択画面をそれぞれ構成するデータを記憶する。
【００８５】
制御手段２７ｂは、記憶手段２１ｂの表示画面記憶部２１６から区分選択画面構成データを取り出す処理、この区分選択画面構成データを携帯端末４０ｂ又はユーザ端末３０ｂへ送信する処理、製品情報等記憶部２１１から区分別化学物質選択画面構成データを取り出す処理、この区分別化学物質選択画面構成データを携帯端末４０ｂ又はユーザ端末３０ｂへ送信する処理、表示画面記憶部２１６から表示項目選択画面構成データを取り出す処理、この表示項目選択画面構成データを携帯端末４０ｂ又はユーザ端末３０ｂへ送信する処理、製品情報等記憶部２１１からＭＳＤＳ構成データを取り出す処理、このＭＳＤＳ構成データを携帯端末４０ｂ又はユーザ端末３０ｂへ送信する処理などを実行する。
【００８６】
次に、目で見るＭＳＤＳの取得・表示処理について、図３０を参照して説明する。
同図は、本実施形態のＭＳＤＳ作成提供システムの動作を示す動作手順図である。
なお、目で見るＭＳＤＳの取得・表示処理は、ユーザ端末３０ｂ又は携帯端末４０ｂのいずれにおいても実行可能であるが、ここでは、携帯端末４０ｂでの処理について説明する。
【００８７】
同図に示すように、携帯端末４０ｂにて、目で見るＭＳＤＳを取得するためのプログラム（ＭＳＤＳ提供プログラム）が起動されると（ステップ６０１）、携帯端末４０ｂの制御手段４５ｂは、通信回線５０を介してＭＳＤＳ管理端末２０ｂに区分選択画面送信要求信号を送信する（ステップ６０２）。
ＭＳＤＳ管理端末２０ｂの通信手段２２は、その区分選択画面送信要求信号を受信する（ステップ６０３）。制御手段２７ｂは、記憶手段２１ｂの表示画面記憶部２１６から区分選択画面構成データを取り出し、通信手段２２を介して携帯端末４０ｂへ送信する（ステップ６０４）。
【００８８】
携帯端末４０ｂの通信手段４２ｂは、区分選択画面構成データを受信する（ステップ６０５）。表示手段４３ｂは、その区分選択画面構成データにもとづき、区分選択画面を表示する（ステップ６０６）。
ユーザによる入力手段４４ｂの操作により、区分選択画面に表示された区分の一覧の中から一つの区分が選択される（選択区分の入力、ステップ６０７）。
選択後、携帯端末４０ｂの制御手段４５ｂは、区分別化学物質選択画面を構成するデータの送信を要求する信号（区分別化学物質選択画面送信要求信号）を、選択区分とともに、通信手段４２ｂを介してＭＳＤＳ管理端末２０ｂへ送信する（ステップ６０８）。
【００８９】
ＭＳＤＳ管理端末２０ｂの通信手段２２は、区分別化学物質選択画面送信要求信号及び選択区分を受信する（ステップ６０９）。制御手段２７ｂは、記憶手段２１ｂの製品情報等記憶部２１１から、選択区分に該当する化学物質の一覧を取り出す（化学物質名の検索、ステップ６１０）。そして、通信手段２２は、その取り出された一又は二以上の化学物質名を含む区分別化学物質選択画面を構成するデータを、携帯端末４０ｂへ送信する（ステップ６１１）。
【００９０】
携帯端末４０ｂの通信手段４２ｂは、区分別化学物質選択画面構成データを受信（取得）する（ステップ６１２）。表示手段４３ｂは、区分別化学物質選択画面構成データにもとづき区分別化学物質選択画面を表示する（ステップ６１３）。
ユーザによる入力手段４４ｂの操作により、区分別化学物質選択画面に表示された区分別化学物質名の一覧の中から一つの製品名が選択される（選択化学物質の入力、ステップ６１４）。
制御手段４５ｂは、表示項目選択画面を構成するデータの送信を要求する信号（表示項目選択画面送信要求信号）を、選択化学物質とともに、通信手段４２ｂを介して、ＭＳＤＳ管理端末２０ｂへ送信する（ステップ６１５）。
【００９１】
ＭＳＤＳ管理端末２０ｂの通信手段２２は、表示項目選択画面送信要求信号及び選択化学物質を受信する（ステップ６１６）。制御手段２７ｂは、選択化学物質を記憶手段２１ｂに記憶させる。
また、制御手段２７ｂは、記憶手段２１ｂの表示画面記憶部２１６から、表示項目選択画面を構成するデータを取り出し、携帯端末４０ｂへ送信する（ステップ６１７）。
【００９２】
携帯端末４０ｂの通信手段４２ｂは、表示項目選択画面構成データを受信（取得）する（ステップ６１８）。表示手段４３ｂは、その表示項目選択画面構成データにもとづいて表示項目選択画面を表示する（ステップ６１９）。
ユーザによる入力手段４４ｂの操作により、表示項目選択画面に表示された項目の中から一つの項目が選択される（選択項目の入力、ステップ６２０）。
制御手段４５ｂは、ＭＳＤＳ送信要求信号を、選択項目とともに、通信手段４２ｂを介して、ＭＳＤＳ管理端末２０ｂへ送信する（ステップ６２１）。
【００９３】
ＭＳＤＳ管理端末２０ｂの通信手段２２は、ＭＳＤＳ送信要求信号及び選択項目を受信する（ステップ６２２）。制御手段２７ｂは、記憶手段２１ｂの製品情報等記憶部２１１から、選択項目に示された項目についてのデータを取り出す（ＭＳＤＳ構成データの検索、ステップ６２３）。そして、この取り出したＭＳＤＳ構成データを、携帯端末４０ｂへ送信する（ステップ６２４）。
携帯端末４０ｂの通信手段４２ｂは、ＭＳＤＳ構成データを受信（取得）する（ステップ６２５）。表示手段４３ｂは、ＭＳＤＳ構成データにもとづき目で見るＭＳＤＳを表示する（ステップ６２６）。
【００９４】
以上説明したように、本実施形態のＭＳＤＳ作成提供システム、ＭＳＤＳ提供方法及びＭＳＤＳ提供プログラムによれば、化学物質の区分を選択した後に、その区分に属する化学物質を選択するため、その化学物質を効率よく選び出すことができる。
また、項目ごとに選択可能とすることで、必要とする情報を即座に取得し、画面表示させて確認することができる。
【００９５】
［第三実施形態］
次に、本発明のＭＳＤＳ作成提供システム、ＭＳＤＳ提供方法及びＭＳＤＳ提供プログラムの第三の実施形態について、図３１を参照して説明する。
同図は、本実施形態のＭＳＤＳ作成提供システムの構成を示すブロック図である。
本実施形態は、第一実施形態と比較して、検索の際の化学物質特定方法が相違する。すなわち、第一実施形態では、携帯端末等の画面に表示された化学物質の一覧の中からユーザが任意の化学物質を選択していたのに対し、本実施形態では、化学物質の容器に貼付されたバーコードを読み取って化学物質を特定する。他の構成要素は第一実施形態と同様である。
したがって、図３１等において、図１等と同様の構成部分については同一の符号を付して、その詳細な説明を省略する。
【００９６】
図３１に示すように、ＭＳＤＳ作成提供システム１ｃは、データベース端末１０と、ＭＳＤＳ管理端末２０と、ユーザ端末３０ｃと、携帯端末４０ｃと、通信回線５０とを備えている。
ここで、ユーザ端末３０ｃは、図３２に示すように、記憶手段３１ｃと、通信手段３２と、表示手段３３と、入力手段３４と、印刷手段３５と、制御手段３６と、バーコードリーダ３７と、バーコード解析手段３８とを有している。
【００９７】
記憶手段３１ｃは、バーコード−化学物質対応テーブルを記憶する。バーコード−化学物質対応テーブルは、図３３に示すように、バーコードデータと化学物質とを一対一で対応付けしたテーブルである。
バーコードリーダ（コード読取手段）３７は、化学物質の容器に貼付されたバーコードを読み取ると、これをバーコードデータとしてバーコード解析手段３８へ送る。
【００９８】
バーコードは、図３４（ｉ）に示すように、ラベル（シール）に印刷されて容器に貼付されている。このバーコードは、容器に封入された化学物質を特定するデータ（化学物質データ）が記号化されたものである。
なお、本実施形態においては、化学物質を特定するデータが記号化されたコードとして、同図(ｉ)に示すバーコードを用いることとしたが、コードはバーコードに限るものではなく、例えば、同図(ii)に示す２次元コードを用いることもできる。
バーコード解析手段（コード解析手段）３８は、バーコードリーダ３７から送られてきたバーコードデータにもとづき、バーコード−化学物質対応テーブルを参照して、化学物質を特定する。
【００９９】
携帯端末４０ｃは、図３５に示すように、記憶手段４１ｃと、通信手段４２と、表示手段４３と、入力手段４４と、制御手段４５と、撮像手段４６と、バーコード解析手段４７とを有している。
記憶手段４１ｃは、バーコード−化学物質対応テーブルを記憶する。
撮像手段（コード読取手段）４６は、化学物質の容器に貼付されたバーコードを読み取ると、これをバーコードデータとしてバーコード解析手段４７へ送る。バーコードは、図３４に示すものと同様である。この撮像手段４６としては、例えば、携帯端末４０ｃに内蔵又は外付けのデジタルカメラなどが該当する。
バーコード解析手段（コード解析手段）４７は、撮像手段４６から送られてきたバーコードデータにもとづき、バーコード−化学物質対応テーブルを参照して、化学物質を特定する。
【０１００】
次に、本実施形態のＭＳＤＳ作成提供システムの動作について、図３６を参照して説明する。
同図は、本実施形態のユーザ端末の動作を示すフローチャートである。
本実施形態のＭＳＤＳ作成提供システムの動作は、第一実施形態と比較して、ＭＳＤＳ作成提供システムの動作（図１５に示す動作手順）における製品選択処理の手順が相違する。
なお、本実施形態の製品選択処理は、ユーザ端末３０ｃ又は携帯端末４０ｃのいずれに実行させることもできるが、ここでは、ユーザ端末３０ｃが実行することについて説明する。
【０１０１】
図３６に示すように、ユーザ端末３０ｃにて、ＭＳＤＳ作成方法を実行するためのプログラム（ＭＳＤＳ作成プログラム）が起動すると、表示手段３３は、化学物質選択処理開始画面（図示せず）を表示する（ステップ７０１）。
次いで、バーコードリーダ３７は、化学物質の容器に貼付されたバーコードをバーコードデータとして読み取る（ステップ７０２）。そして、この読み取ったバーコードデータをバーコード解析手段３８へ送る。
【０１０２】
バーコード解析手段３８は、記憶手段３１ｃに記憶されたバーコード−化学物質対応テーブルを参照して、バーコードデータに対応する化学物質名を特定する（ステップ７０３）。
バーコード解析手段３８は、特定した化学物質名を、化学物質情報送信要求信号とともに、通信手段３２を介してＭＳＤＳ管理端末２０へ送信する（ステップ７０４）。
【０１０３】
ＭＳＤＳ管理端末２０の通信手段２２は、化学物質情報送信要求信号及び特定化学物質名を受信する。制御手段２７は、記憶手段２１の製品情報等記憶部２１１から、その化学物質名に関する情報（化学物質情報）を取り出す。そして、この取り出した化学物質情報を、ユーザ端末３０ｃへ送信する。
ユーザ端末３０ｃの通信手段３２は、化学物質情報を受信する。制御手段３６は、その受信された化学物質情報を、記憶手段３１ｃに記憶させる。また、その化学物質情報を表示手段３３に表示させる（ステップ７０５）。
【０１０４】
以上、説明したように、本実施形態のＭＳＤＳ作成提供システム、ＭＳＤＳ提供方法及びＭＳＤＳ提供プログラムは、バーコードを用いた簡易な方法で、化学物質名を特定できる。
しかも、バーコードリーダを用いることで、瞬時にバーコードを読み込むことができる。このため、化学物質名の入力作業や、一覧表の中から化学物質名を探し出す作業に比べて作業時間の短縮を図ることができる。
さらに、バーコードは、化学物質の容器に貼付されており、その容器に封入された化学物質と一対一で対応している。このため、目の前にある化学物質についての情報を取得したいときには、そのバーコードを読み取ることで、容易かつ即座に取得することができる。
また、二次元コードを用いることで、コード化する情報量を増やすことができる。例えば、ＭＳＤＳ管理端末２０のＩＰアドレスなどをコード化しておくことで、このＭＳＤＳ管理端末２０へのアクセスを容易に行うことができる。
【０１０５】
［第四実施形態］
次に、本発明のＭＳＤＳ作成提供システム、ＭＳＤＳ提供方法及びＭＳＤＳ提供プログラムの第四の実施形態について、図３７を参照して説明する。
同図は、本実施形態のＭＳＤＳ作成提供システムの構成を示すブロック図である。
本実施形態は、第一実施形態と比較して、化学物質検知手段を備えている点が相違する。他の構成要素は第一実施形態と同様である。
したがって、図３７において、図１等と同様の構成部分については同一の符号を付して、その詳細な説明を省略する。
【０１０６】
図３７に示すように、ＭＳＤＳ作成提供システム１ｄは、データベース端末１０と、ＭＳＤＳ管理端末２０と、ユーザ端末３０ｄと、携帯端末４０ｄと、通信回線５０と、化学物質検知手段６０とを備えている。
ここで、化学物質検知手段６０は、化学物質を検出し、これを解析して、その名称や性状などを特定する。
この化学物質検知手段６０として用いることが可能な技術としては、例えば、特開２００４−３４０７６６号公報「化学物質検出装置」、特開２００５−２０９５０７号公報「危険物検知方式」などに記載された技術がある。
【０１０７】
ユーザ端末３０ｄは、化学物質検知手段６０との間でデータの送受信を行う検知データ入出力手段３９を有している。
携帯端末４０ｄは、化学物質検知手段６０との間でデータの送受信を行う検知データ入出力手段４８を有している。
【０１０８】
次に、本実施形態のＭＳＤＳ作成提供システムの動作（ＭＳＤＳ作成提供方法）について、図３８を参照して説明する。
同図は、本実施形態のユーザ端末の動作を示すフローチャートである。
本実施形態のＭＳＤＳ作成提供システムの動作は、第一実施形態におけるＭＳＤＳ作成提供システムの動作（図１１に示す動作手順）における製品選択処理が相違する。
なお、本実施形態のＭＳＤＳ作成提供方法は、ユーザ端末３０ｄ又は携帯端末４０ｄのいずれにおいても実行可能であるが、ここでは、ユーザ端末３０ｄにおけるＭＳＤＳ作成提供方法の動作手順について説明する。
【０１０９】
同図に示すように、ユーザ端末３０ｄにて、ＭＳＤＳ作成方法を実行するためのプログラム（ＭＳＤＳ作成プログラム）が起動されると、表示手段４３は、化学物質検知処理開始画面（図示せず）を表示する（ステップ８０１）。
次いで、化学物質検知手段６０は、化学物質を取り込んで検知処理を実行する（ステップ８０２）。そして、この検知結果をユーザ端末３０ｄへ送る。
ユーザ端末３０ｄの検知データ入出力手段３９は、検知結果を入力する。
制御手段３６は、その検知結果を受け取ると、記憶手段３１に記憶されたテーブルを参照して、検知結果に対応する化学物質名を特定する（ステップ８０３）。
【０１１０】
制御手段３６は、特定した化学物質名を、化学物質情報送信要求信号とともに、通信手段３２を介してＭＳＤＳ管理端末２０へ送信する（ステップ８０４）。
ＭＳＤＳ管理端末２０の通信手段２２は、化学物質情報送信要求信号及び特定化学物質名を受信する。制御手段２３は、記憶手段２４から、その化学物質名に関する情報（化学物質情報）を取り出す。そして、この取り出した化学物質情報を、ユーザ端末３０ｃへ送信する。
ユーザ端末３０ｃの通信手段３２は、化学物質情報を受信する。制御手段３６は、その受信された化学物質情報を、記憶手段３１ｃに記憶する。また、その化学物質情報を表示手段３３に表示させる（ステップ８０５）。
【０１１１】
以上、説明したように、本実施形態のＭＳＤＳ作成提供システム、ＭＳＤＳ提供方法及びＭＳＤＳ提供プログラムは、化学物質検知手段を用いることで、容易に化学物質名を特定できる。例えば、その化学物質が何であるか判らない場合や、ある程度予想はできるものの不確かな場合に、化学物質検知手段を用いることで、その化学物質を明確に特定できる。
また、特定された化学物質名をＭＳＤＳ管理端末へ送信できるため、その化学物質に関するＭＳＤＳの取得を合わせて行うことができる。
【０１１２】
［第五実施形態］
次に、本発明のＭＳＤＳ作成提供システム、ＭＳＤＳ提供方法及びＭＳＤＳ提供プログラムの第五の実施形態について、図３９を参照して説明する。
同図は、本実施形態のＭＳＤＳ作成提供システムの構成を示すブロック図である。
本実施形態は、第一実施形態と比較して、データベースの構成が相違する。すなわち、第一実施形態では、データベースについて特に限定はなかったのに対し、本実施形態では、ユーザが有する在庫薬品に限定してデータを管理するとともに、その在庫薬品について、データの並べ換えや、一覧表の作成・送信を行うこととしている。他の構成要素は第一実施形態と同様である。
したがって、図３９において、図１等と同様の構成部分については同一の符号を付して、その詳細な説明を省略する。
【０１１３】
図３９に示すように、ＭＳＤＳ作成提供システム１ｅは、データベース端末１０と、ＭＳＤＳ管理端末２０ｅと、ユーザ端末３０ｅと、携帯端末４０ｅと、通信回線５０とを備えている。
ここで、ＭＳＤＳ管理端末２０ｅは、図４０に示すように、記憶手段２１ｅと、通信手段２２と、表示手段２３と、入力手段２４と、ＭＳＤＳ作成手段２５と、印刷手段２６と、制御手段２７と、記憶管理手段２８と、カウント手段２９とを有している。
【０１１４】
記憶手段２１ｅは、同図に示すように、製品情報等記憶部２１１と、事業者情報記憶部２１２と、フレーム記憶部２１３と、挿絵記憶部２１４と、目で見るＭＳＤＳ記憶部２１５と、在庫薬品記憶部２１７と、カウント数記憶部２１８とを有している。
在庫薬品記憶部２１７は、ユーザ端末３０ｅ等から送信されてきたユーザデータ、選択在庫薬品などを記憶する。これらユーザデータと選択在庫薬品とは、関連付けて記憶される。
カウント数記憶部２１８は、カウント手段２９でのカウント数を記憶する。
【０１１５】
記憶管理手段２８は、ユーザ端末３０ｅ等から送信されてきたユーザデータや選択在庫薬品などを在庫薬品記憶部２１７に記憶させる。また、在庫一覧送信要求信号とともにユーザデータが送信されてくると、このユーザデータをキーとして選択在庫薬品を検索する。
【０１１６】
さらに、記憶管理手段２８は、在庫薬品に関する情報の並べ換えを行う。
この並べ換えには、薬品使用回数にもとづくものと、ＭＳＤＳ提供回数にもとづくものとがある。
例えば、図４１（ｉ），（ii）に示すように、在庫薬品ごとにデータが管理されている場合であって、薬品使用回数が、同図（ｉ）に示すように、在庫薬品名Ａについて薬品使用回数３、Ｂについて８、Ｃについて２、Ｄについて１、Ｅについて２のとき、薬品使用回数の多いものから順に、Ｂ−Ａ−Ｃ−Ｅ−Ｄの順に並べ換える。この並べ換えが行われた後の在庫薬品一覧は、同図（ii）のようになる。なお、ＭＳＤＳ提供回数による並べ換えも同様にして行われる。
【０１１７】
カウント手段２９は、通信手段２２で使用薬品名が受信されると、この使用薬品名に対応する薬品使用回数を「１」加算する。
また、カウント手段２９は、通信手段２２で指定薬品名が受信されると、この指定薬品名に対応するＭＳＤＳ提供回数を「１」加算する。
これらカウントされた薬品使用回数、ＭＳＤＳ提供回数は、カウント数記憶部２１８に記憶される。
【０１１８】
ユーザ端末３０ｅは、記憶手段３１と、通信手段３２と、表示手段３３と、入力手段３４と、印刷手段３５と、制御手段３６とを有している。
表示手段３３は、所定の画面を表示する。例えば、在庫薬品一覧、目で見るＭＳＤＳなどを表示する。
在庫薬品一覧は、図４１（ii）に示す一覧を画面表示したものである。同図のように並べ換えが行われていることから、選択したい薬品が表の上の方で表示されるようになる。このため、在庫薬品一覧の中からその薬品を容易に探し出すことができる。
目で見るＭＳＤＳは、図１に示すものと同様である。
【０１１９】
次に、本実施形態のＭＳＤＳ作成提供システムの動作について、図４２〜図４４を参照して説明する。
【０１２０】
（在庫薬品指定）
在庫薬品の指定について、図４２を参照して説明する。
ユーザ端末３０ｅの表示手段３３は、在庫薬品を指定・登録するための画面（図示せず）を表示する。
制御手段３６は、通信手段３２を介してＭＳＤＳ管理端末２０ｅへ、一覧表送信要求信号を送信する（ステップ９０１）。
ＭＳＤＳ管理端末２０ｅの通信手段２２は、その一覧表送信要求信号を受信する（ステップ９０２）。この受信にもとづき、制御手段２７は、薬品の一覧表を作成し、通信手段２２を介してユーザ端末３０ｅへ送信する（ステップ９０３）。
【０１２１】
ユーザ端末３０ｅの通信手段２２は、その一覧表を受信する（ステップ９０４）。そして、表示手段３３は、その一覧表を表示する（ステップ９０５）。
ユーザによる入力手段２４の操作により、一覧表として表示された複数の薬品の中から一又は二以上の在庫薬品が選択される（ステップ９０６）。
この選択された在庫薬品が選択在庫薬品として、ユーザデータとともに、ユーザ端末３０ｅからＭＳＤＳ管理端末２０ｅへ送信される（ステップ９０７）。
ＭＳＤＳ管理端末２０ｅの通信手段２２は、選択在庫薬品等を受信する（ステップ９０８）。記憶手段２１ｅの在庫薬品記憶部２１７は、その受信された選択在庫薬品を記憶する（登録、ステップ９０９）。
【０１２２】
（薬品使用回数の管理）
次に、薬品使用回数の管理について、図４３を参照して説明する。
ユーザがいずれかの薬品を使用すると、ユーザ端末３０ｅの入力手段４４を操作して、薬品使用回数管理プログラムを起動させ実行させる。
ユーザ端末３０ｅの制御手段３６は、ユーザデータとともに、在庫一覧表送信要求信号を、通信手段３２を介してＭＳＤＳ管理端末２０ｅへ送信する（ステップ１００１）。
ＭＳＤＳ管理端末２０ｅの通信手段２２は、在庫一覧表送信要求信号等を受信する（ステップ１００２）。そして、記憶管理手段２８により、在庫薬品記憶部２１７に記憶された、ユーザデータに対応する在庫一覧を取り出す（ステップ１００３）。通信手段２２は、その取り出された在庫一覧を、ユーザ端末３０ｅへ送信する（ステップ１００４）。
【０１２３】
ユーザ端末３０ｅの通信手段３２は、在庫一覧を受信する（ステップ１００５）。表示手段３３は、その在庫一覧を表示する（ステップ１００６）。
ユーザによる入力手段３４の操作により、在庫一覧として表示された複数の薬品の中から、使用された薬品が一又は二以上選択される（ステップ１００７）。
通信手段３２は、その選択された薬品を選択使用薬品としてＭＳＤＳ管理端末２０ｅへ送信する（ステップ１００８）。
ＭＳＤＳ管理端末２０ｅは、選択使用薬品を受信する（ステップ１００９）。そして、カウント手段２９は、選択使用薬品ごとに対応するカウント数（薬品使用回数）に「１」加算する（ステップ１０１０）。記憶手段２１ｅのカウント数記憶部２１８は、カウント手段２９で算出されたカウント数を記憶する（ステップ１０１１）。
【０１２４】
（ＭＳＤＳ表示処理）
次に、ＭＳＤＳの表示処理について、図４４を参照して説明する。
ユーザがいずれかの薬品を使用すると、ユーザ端末３０ｅの入力手段４４を操作して、薬品使用回数管理プログラムを起動させ実行させる。
ユーザ端末３０ｅは、在庫一覧送信要求信号を、ユーザデータとともに、ＭＳＤＳ管理端末２０ｅへ送信する（ステップ１１０１）。
【０１２５】
ＭＳＤＳ管理端末２０ｅの通信手段２２は、在庫一覧送信要求信号等を受信する（ステップ１１０２）。
記憶管理手段２８は、ユーザデータに対応した在庫一覧表を、在庫薬品記憶部２１７から検索して取り出す（検索、ステップ１１０３）。また、記憶管理手段２８は、この取り出された在庫一覧表の示す薬品ごとのデータを、使用回数にしたがって並べ換える（ステップ１１０４）。
【０１２６】
そして、この並べ換えが行われた後の在庫一覧表が、ＭＳＤＳ管理端末２０ｅからユーザ端末３０ｅへ送信される（ステップ１１０５）。
ユーザ端末３０ｅの通信手段３２は、在庫一覧表を受信する（ステップ１１０６）。
表示手段３３は、その在庫一覧表を表示する（ステップ１１０７）。
ユーザは、入力手段３４の操作により、在庫一覧表に表示された複数の薬品の中から一つを選択する（ステップ１１０８）。
通信手段３２は、その選択された薬品を選択薬品としてＭＳＤＳ管理端末２０ｅへ送信する（ステップ１１０９）。
【０１２７】
ＭＳＤＳ管理端末２０ｅの通信手段２２は、選択薬品を受信する（ステップ１１１０）。記憶管理手段２８は、受信された選択薬品についての目で見るＭＳＤＳを、目で見るＭＳＤＳ記憶部２１５から取り出す（ステップ１１１１）。通信手段２２は、その取り出された目で見るＭＳＤＳを、ユーザ端末３０ｅへ送信する（ステップ１１１２）。さらに、カウント手段２９は、選択薬品のカウント数を１加算する（ステップ１１１３）。
ユーザ端末３０ｅの通信手段３２は、目で見るＭＳＤＳを受信する（ステップ１１１４）。表示手段３３は、その受信された目で見るＭＳＤＳを表示する（ステップ１１１５）。
【０１２８】
以上説明したように、本実施形態のＭＳＤＳ作成提供システム、ＭＳＤＳ提供方法及びＭＳＤＳ提供プログラムによれば、化学物質の使用頻度や、ＭＳＤＳの表示頻度に応じてデータベースの並べ換えを行うことができる。つまり、使用頻度の高い化学物質が上位に来るようにデータベースの並べ換えが行われる。これにより、ＭＳＤＳを取得・表示したい化学物質の選択が容易になり、ＭＳＤＳ取得時間を短縮できる。
【０１２９】
［第六実施形態］
次に、本発明のＭＳＤＳ作成提供システム、ＭＳＤＳ提供方法及びＭＳＤＳ提供プログラムの第六の実施形態について、図４５を参照して説明する。
同図は、本実施形態のＭＳＤＳ作成提供システムの構成を示すブロック図である。
本実施形態は、第一実施形態と比較して、目で見るＭＳＤＳの提供方法が相違する。すなわち、第一実施形態では、目で見るＭＳＤＳの送信を要求してきた携帯端末に対してのみ、そのＭＳＤＳを送信していたのに対し、本実施形態では、緊急信号を受信すると、所定の条件を満たす一又は二以上の携帯端末に対して、そのＭＳＤＳを送信する点で相違する。他の構成要素は第一実施形態と同様である。
したがって、図４５において、図１等と同様の構成部分については同一の符号を付して、その詳細な説明を省略する。
【０１３０】
図４５に示すように、ＭＳＤＳ作成提供システム１ｆは、データベース端末１０と、ＭＳＤＳ管理端末２０ｆと、ユーザ端末３０ｆ（３０ｆ−１〜３０ｆ−ｎ）と、携帯端末４０ｆ（４０ｆ−１〜４０ｆ−ｎ）と、通信回線５０とを備えている。
ここで、ＭＳＤＳ管理端末２０ｆは、図４６に示すように、記憶手段２１ｆと、通信手段２２と、表示手段２３と、入力手段２４と、ＭＳＤＳ作成手段２５と、印刷手段２６と、制御手段２７と、提供管理手段２７−１とを有している。
記憶手段２１ｆは、製品情報等記憶部２１１と、事業者情報記憶部２１２と、フレーム記憶部２１３と、挿絵記憶部２１４と、目で見るＭＳＤＳ記憶部２１５と、提供先記憶部２１９とを有している。
【０１３１】
提供先記憶部２１９は、目で見るＭＳＤＳの提供先が登録されたデータベースである。
この提供先記憶部２１９に記憶される提供先テーブルの構成例を図４７に示す。同図に示すように、提供先記憶部２１９に記憶される提供先テーブルは、複数の群が設定されており、各群に携帯端末４０ｆが一又は二以上登録されている。
群は、例えば、会社の組織（管理課、製造課、営業課、研究室など）、居住地域（住所による区分け）、学校のクラスなどにもとづいて設定することができる。具体的には、例えば、第１群を会社の管理課、第２群を製造一課、第３群を製造二課のように分けることができる。
【０１３２】
一つの群には、緊急通報端末と、ＭＳＤＳ提供先端末が登録されている。
緊急通報端末とは、緊急通報を発報してくる携帯端末４０ｆをいう。
ＭＳＤＳ提供先端末とは、緊急通報端末からの緊急通報の発報にもとづき、目で見るＭＳＤＳの提供先とされる携帯端末４０ｆをいう。
なお、緊急通報端末に登録された携帯端末４０ｆと、ＭＳＤＳ提供先端末に登録された携帯端末４０ｆとは、同一であってもよく、別個であってもよい。
また、一つの携帯端末４０ｆを、複数の群に登録することもできる。
【０１３３】
提供管理手段２７−１は、通信手段２２で緊急通報が受信されると、記憶手段２１ｆの提供先記憶部２１９に記憶された提供先テーブルを参照し、その緊急通報を送信してきた携帯端末４０ｆを緊急通報端末の中から検索し、この携帯端末４０ｆが属する群を特定し、この特定した群に属するＭＳＤＳ提供先端末を抽出し、この抽出したＭＳＤＳ提供先端末に対して目で見るＭＳＤＳを送信する。
【０１３４】
ユーザ端末３０ｆ−１〜３０ｆ−ｎのそれぞれは、第一実施形態のユーザ端末３０ａと同様の構成を有している。ただし、ユーザ端末３０ｆは、携帯端末４０ｆが有する緊急通報手段（後述）を備えることもできる。
携帯端末４０ｆは、図４８に示すように、記憶手段４１と、通信手段４２と、表示手段４３と、入力手段４４と、制御手段４５と、緊急通報手段４９とを有している。
緊急通報手段４９は、緊急事態が発生したときに、通信回線５０を介してＭＳＤＳ管理端末２０ｆに緊急通報を発報する手段である。
緊急事態には、例えば、火災の発生、化学物質の漏洩、人体への被害などが含まれる。これらのうちいずれかの事態が発生すると、ユーザは、携帯端末４０ｆの入力手段４４を操作して、緊急通報を発報する。
【０１３５】
次に、本実施形態のＭＳＤＳ作成提供システムの動作（ＭＳＤＳ提供方法）について、図４９を参照して説明する。
同図は、本実施形態のＭＳＤＳ提供方法の動作手順を示すフローチャートである。
【０１３６】
携帯端末４０ｆからＭＳＤＳ管理端末２０ｆへ緊急通報を発報するために、ユーザにより携帯端末４０ｆの入力手段４４が操作される。これにより、緊急通報手段４９が、通信手段４２及び通信回線５０を介して、ＭＳＤＳ管理端末２０ｆへ、緊急通報を発報する（ステップ１２０１）。
ＭＳＤＳ管理端末２０ｆの通信手段２２で緊急通報が受信されると（ステップ１２０２）、提供管理手段２７−１が、記憶手段２１ｆの提供先記憶部２１９に記憶された提供先テーブルの緊急通報端末の中から、その緊急通報を送信してきた携帯端末２０ｆを検索する（ステップ１２０３）。
【０１３７】
検索の結果、提供先テーブルの緊急通報端末にその携帯端末４０ｆが含まれていたときは、その携帯端末４０ｆが属する群が特定される。そして、その群に属するＭＳＤＳ提供先端末が抽出される（ステップ１２０４）。
そして、目で見るＭＳＤＳ記憶部２１５から目で見るＭＳＤＳが取り出され、ステップ４３で抽出された携帯端末４０ｆに対して、その目で見るＭＳＤＳが提供（送信）される（ステップ１２０５）。
ＭＳＤＳ提供先端末である携帯端末４０ｆの通信手段４２にて、目で見るＭＳＤＳが受信され（ステップ１２０６）、表示手段４３に送られて表示される（ステップ１２０７）。
【０１３８】
以上説明したように、本実施形態のＭＳＤＳ作成提供システム、ＭＳＤＳ提供方法及びＭＳＤＳ提供プログラムによれば、緊急事態が発生したときに、ＭＳＤＳの自動配信を行うことができる。例えば、化学物質に引火して火災が発生した場合に、関係する部署や企業、建物内にいる者に対して、ＭＳＤＳを配信できる。
これにより、ＭＳＤＳを受信した携帯端末の所持者は、現在緊急事態であることを即座に知ることができ、近くに化学物質を浴びた人がいれば、配信されてきたＭＳＤＳを見て、適切な措置を講じることができる。
【０１３９】
［第七実施形態］
次に、本発明のＭＳＤＳ作成提供システム、ＭＳＤＳ提供方法及びＭＳＤＳ提供プログラムの第七の実施形態について、図５０を参照して説明する。
同図は、本実施形態のＭＳＤＳ作成提供システムの構成を示すブロック図である。
本実施形態は、第一実施形態と比較して、学習機能を有している点で相違する。他の構成要素は第一実施形態と同様である。
したがって、図５０において、図１等と同様の構成部分については同一の符号を付して、その詳細な説明を省略する。
【０１４０】
本実施形態における学習とは、ユーザがＭＳＤＳの内容を知得し、理解することをいう。また、学習機能とは、ユーザによるＭＳＤＳの内容の知得や理解をサポートするために、問題の提示、解答の解説、正解率の集計・発表などを実行する機能をいう。
【０１４１】
図５０に示すように、本実施形態のＭＳＤＳ作成提供システム１ｇは、データベース端末１０と、ＭＳＤＳ管理端末２０ｇと、ユーザ端末３０ｇと、携帯端末４０ｇと、通信回線５０とを備えている。
ここで、携帯端末４０ｇは、表示手段４３ｇと、制御手段４５ｇとを有している。
表示手段４３ｇは、図５１〜図６０に示すような種々の画面を表示する。
このうち、学習開始画面（図５１）は、携帯端末４０ｇに学習機能を実行させる場合に、最初に表示手段４３に表示される画面である。
この学習開始画面には、学習内容が選択項目として列記されている。学習内容には、例えば、ＭＳＤＳの内容、ＭＳＤＳの検索方法（検索指南）、緊急配信方法などがある。ユーザは、入力手段４４を操作することにより、いずれかの項目を選択できる。
【０１４２】
化学物質名選択画面（図５２）は、学習開始画面で「ＭＳＤＳの内容」が選択された場合に、次に表示される画面であって、どの化学物質のＭＳＤＳを学習するかを選択する画面である。このため、化学物質名選択画面には、化学物質の名称一覧と、「選択」ボタン、「キャンセル」ボタンなどが表示される。
項目選択画面（図５３）は、化学物質名選択画面でいずれかの化学物質名が選択された後に表示手段４３に表示される画面であって、どの項目について学習するかを選択するための画面である。
選択可能な項目には、例えば、救急措置、法令、性状、有害性などがある。
【０１４３】
質問画面（図５４，図５７）は、化学物質名選択画面で選択された化学物質、項目選択画面で選択された項目についての質問を表示した画面である。
この質問画面には、例えば、化学物質名、項目、問題、解答の選択肢、決定ボタン、キャンセルボタンなどが表示される。ユーザは、入力手段４４を操作して、選択肢の中から一つ又は二つ以上を選んで（一又は二以上の選択肢にレ点を付して）解答することができる。
なお、質問画面（１）と質問画面（２）は、構成は同じであるが、質問や回答の内容が異なる。
【０１４４】
正解画面（図５５）は、ユーザが選択した解答が正解の場合に表示される画面である。
不正解画面（図５６）は、ユーザが選択した解答が不正解の場合に表示される画面である。
【０１４５】
得点表示画面（図５８）は、一連の質問が終了した後に表示される画面であって、正解した数が表示される。
この得点表示画面には、正解数だけでなく、例えば、正解率、不正解率、参加者全員に対する順位（ランキング）、傾向（「措置には強いが、法令には弱い」など）を表示することもできる。
再挑戦確認画面（図５９）は、同じ化学物質、同じ項目、同じ問題で、もう一度行うか否かを選択するための画面である。「はい」を選択すると、同じ質問が表示手段４４に表示される。「いいえ」を選択すると、次ステップ選択画面が表示される。
【０１４６】
次ステップ選択画面（図６０）は、再挑戦確認画面で「いいえ」が選択されたときに、次に何を行うかを選択するための画面である。
この次ステップ選択画面には、例えば、「学習開始画面」、「化学物質名選択画面」、「項目選択画面」、「同じ項目で他の問題」、「復習問題」、「得点表示」、「終了」などの項目が表示される。
これらのうち、「学習開始画面」が選択されたときは、学習開始画面が表示される。
「化学物質名選択画面」が選択されたときは、化学物質名選択画面が表示される。
「項目選択画面」が選択されたときは、項目選択画面が表示される。
【０１４７】
「同じ項目で他の問題」が選択されたときは、同じ化学物質、同じ項目に関する異なる問題が質問画面として表示される。
「復習問題」が選択されたときは、再挑戦確認画面で「はい」が選択された場合と同様、それまで出題された問題が再度表示される。
「得点表示」が選択されたときは、得点表示画面が表示される。
「終了」が選択されたときは、学習機能の実行が終了する。
【０１４８】
制御手段４５ｇは、例えば、ＣＰＵにより構成することができ、記憶手段４１に記憶されているプログラムを読み込んで実行することにより、携帯端末４０ｇの構成各部に指令を送り、又は自ら動作して、携帯端末４０ｇの有する各種機能を実行・制御する。
【０１４９】
次に、本実施形態のＭＳＤＳ作成提供システムの動作について、図６１を参照して説明する。
同図は、本実施形態のＭＳＤＳ作成提供システムの動作を示すフローチャートである。
携帯端末４０にて学習機能を実現するためのプログラムが起動すると、携帯端末４０の表示手段４３は、図５１に示す学習開始画面を表示する（ステップ１３０１）。この学習開始画面には、「実行開始」ボタンや「キャンセル」ボタンが表示されている。
【０１５０】
ユーザによる入力手段４４の操作により、いずれかのボタンが選択される（ステップ１３０２）。
ここで、「実行開始」ボタンが選択されると、次いで、表示手段４３は、図５２に示す化学物質名選択画面を表示する（ステップ１３０３）。この化学物質名選択画面には、種々の化学物質名が表示されている。
ユーザによる入力手段４４の操作により、一つの化学物質名が選択され（レ点が付され）、決定ボタンが押下されると（ステップ１３０４）、続いて、表示手段４３は、図５３に示す項目選択画面を表示する（ステップ１３０５）。
項目選択画面は、ＭＳＤＳを構成する項目を一覧として表示する。
ユーザによる入力手段４４の操作により、一覧表示された複数の項目の中から一つの項目が選択され（レ点が付され）、決定ボタンが押下される（ステップ１３０６）。
【０１５１】
次いで、その選択された項目に関する質問画面（１）が表示される（ステップ１３０７）。質問画面は、質問文、解答例（選択式）、決定ボタンなどを表示する。
質問文としては、例えば、「眼に入った場合の措置として正しいものはどれか？」などがある。
解答例としては、例えば、「冷水で洗い流す」、「布をあてて吸い取る」、「眼科の診断を受ける」などがある。
解答例の選択数は、一つだけにしてもよく、複数の選択を可能にしてもよい。
【０１５２】
ユーザによる入力手段４４の操作により、一又は二以上の解答例が選択され（レ点が付され）、決定ボタンが押下される（ステップ１３０８）。
ここで、制御手段４５は、その選択された解答例が正解か否かを判断する（ステップ１３０９）。
判断の結果、正解の場合は、表示手段４３は、図５５に示す正解画面を表示する（ステップ１３１０）。
一方、不正解の場合は、表示手段４３は、図５６に示す不正解画面を表示する（ステップ１３１１）。
【０１５３】
正解画面又は不正解画面が表示された状態で、ユーザにより所定のキーが押下されると（ステップ１３１２，ステップ１３１３）、制御手段４５は、解答の正否を記憶手段４１に記憶する（ステップ１３１４）。なお、本実施形態においては、解答の正否の記憶を任意のキーの押下後とするが、任意のキーの押下後に限るものではなく、例えば、ステップ１３０９で解答の正否を判断した後などであってもよい。
【０１５４】
そして、制御手段４５は、前回表示した質問画面が最終の質問画面か否かを判断する（質問終了？、ステップ１３１５）。
判断の結果、最終でないときは、表示手段４３は、図５７に示す次の質問画面（２）を表示する（ステップ１３１６）。そして、この質問画面（２）についてステップ１３０８〜ステップ１３１５の処理が実行される。その後は、質問画面（３）→（４）→（５）・・・のように、順次質問画面が表示されるとともに、各質問画面についてステップ１３０８〜ステップ１３１５の処理が実行される。
【０１５５】
一方、ステップ１３１５での判断の結果、前回表示した質問画面が最終の質問画面であるとされたときは、続いて、制御手段４５は、それまでの正解数を集計する。そして、表示手段４３は、図５８に示す得点表示画面を表示する（ステップ１３１７）。この得点表示画面は、ユーザが正解した数を表示する。ここで、得点表示画面には、不正解数、正解率、不正解率などを表示することもできる。
【０１５６】
この得点表示画面が表示された状態で任意のキーが押下されると（ステップ１３１８）、続いて、表示手段４３は、図５９に示す再挑戦確認画面を表示する（ステップ１３１９）。
再挑戦確認画面には、「もう一度理解度チェックを行いますか？」の質問に対する回答例として、「はい」、「内容変更」、「終了」が表示されている。
ここで、「終了」が選択されたときは、表示手段４３は、終了画面（図示せず）を表示して、学習機能プログラムの実行を終了する。
「はい」が選択されたときは、同じ化学物質名、同じ項目の理解度チェックを再度実行する。すなわち、ステップ１３０７〜ステップ１３１５の処理を再度行って、同じ問題による理解度チェックを実行する。
【０１５７】
「内容変更」が選択されたときは、表示手段４３は、次ステップ選択画面を表示する（ステップ１３２１）。
この次ステップ選択画面には、「学習開始画面」、「化学物質名選択画面」、「項目選択画面」、「同じ項目で他の問題」、「復習問題」、「得点表示」、「終了」などが表示されている。
「学習開始画面」が選択されたときは、表示手段４３は、図５１に示す学習開始画面を表示し、ステップ１３０１から実行を開始する。
「化学物質名選択画面」が選択されたときは、表示手段４３は、図５２に示す化学物質名選択画面を表示し、ステップ１３０３から実行を開始する。
「項目選択画面」が選択されたときは、表示手段４３は、図５３に示す項目選択画面を表示し、ステップ１３０５から実行を開始する。
【０１５８】
「同じ項目で他の問題」が選択されたときは、表示手段４３は、過去に表示したことのない質問（又は、前回表示しなかった質問）を含む質問画面を表示する。この場合、ステップ１３０７から実行を開始する。
「復習問題」が選択されたときは、表示手段４３は、前回表示した質問を含む質問画面を再び表示し、ステップ１３０７から実行を開始する。つまり、「復習問題」が選択された場合と、再挑戦確認画面で「はい」が選択された場合は、その後の動作が同じとなる。
「得点表示」が選択されたときは、表示手段４３は、得点表示画面を表示する。この得点表示画面が表示されているときに、任意のキーが押下されたとき（又は、「次へ」ボタンが押下されたとき）は、続いて再挑戦確認画面を表示するようにしてもよく、次ステップ選択画面を表示するようにしてもよい。
【０１５９】
［ＭＳＤＳ作成プログラム、ＭＳＤＳ提供プログラム］
次に、ＭＳＤＳ作成プログラム、ＭＳＤＳ提供プログラム（以下、総称して「ＭＳＤＳ作成提供プログラム」という。）について説明する。
上記の各実施形態におけるコンピュータ（データベース端末、ＭＳＤＳ管理端末、ユーザ端末、携帯端末、ＭＳＤＳ作成提供システム）のＭＳＤＳ作成提供機能（ＭＳＤＳ作成方法やＭＳＤＳ提供方法を実行するための機能）は、記憶手段（例えば、ＲＯＭやハードディスクなど）に記憶されたＭＳＤＳ作成提供プログラムにより実現される。
【０１６０】
ＭＳＤＳ作成提供プログラムは、コンピュータの制御手段（ＣＰＵなど）に読み込まれることにより、コンピュータの構成各部に指令を送り、所定の処理、たとえば、ＭＳＤＳ管理端末のＭＳＤＳ作成処理、ユーザ端末の化学物質名検索処理、携帯端末の学習機能実行処理などを行わせる。
これによって、ＭＳＤＳ作成提供機能は、ソフトウエアであるＭＳＤＳ作成提供プログラムとハードウエア資源であるコンピュータ（データベース端末、ＭＳＤＳ管理端末、ユーザ端末、携帯端末、ＭＳＤＳ作成提供システム）の各構成手段とが協働することにより実現される。
【０１６１】
なお、ＭＳＤＳ作成提供機能を実現するためのＭＳＤＳ作成提供プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、コンピュータに外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【０１６２】
そして、記録媒体に記録されたプログラムは、コンピュータのＲＡＭ等にロードされて、ＣＰＵ（制御手段）により実行される。この実行により、上述した各実施形態の各コンピュータ（データベース端末、ＭＳＤＳ管理端末、ユーザ端末、携帯端末、ＭＳＤＳ作成提供システム）の機能が実現される。
さらに、コンピュータでＭＳＤＳ作成提供プログラムをロードする場合、他のコンピュータで保有されたＭＳＤＳ作成提供プログラムを、通信回線を利用して自己の有するＲＡＭや外部記憶装置にダウンロードすることもできる。このダウンロードされたＭＳＤＳ作成提供プログラムも、ＣＰＵにより実行され、上記各実施形態の各コンピュータ（データベース端末、ＭＳＤＳ管理端末、ユーザ端末、携帯端末、ＭＳＤＳ作成提供システム）のＭＳＤＳ作成提供機能を実現する。
【０１６３】
以上、本発明のＭＳＤＳ作成提供システム、ＭＳＤＳ提供方法及びＭＳＤＳ提供プログラムの好ましい実施形態について説明したが、本発明に係るＭＳＤＳ作成提供システム、ＭＳＤＳ作成方法、ＭＳＤＳ提供方法、ＭＳＤＳ作成プログラム及びＭＳＤＳ提供プログラムは上述した実施形態にのみ限定されるものではなく、本発明の範囲で種々の変更実施が可能であることは言うまでもない。
例えば、上述した実施形態では、ＭＳＤＳ作成提供システムが、データベース端末、ＭＳＤＳ管理端末、ユーザ端末、携帯端末、通信回線をそれぞれ一つずつ備えた構成としてあるが、一つずつに限るものではなく、それぞれ二つ以上備えることもできる。
また、携帯端末の居場所を電波にもとづいて検知し、この居場所から所定の範囲内にある携帯端末に対してＭＳＤＳを提供する。
【産業上の利用可能性】
【０１６４】
本発明は、ＭＳＤＳの作成や配信に関する発明であるため、ＭＳＤＳの作成や配信を行う装置やシステムに利用可能である。
【図面の簡単な説明】
【０１６５】
【図１】本発明の目で見るＭＳＤＳの構成を示す正面図である。
【図２】目で見るＭＳＤＳの記載枠とサイド枠を示す正面図である。
【図３】本発明の第一実施形態におけるＭＳＤＳ作成提供システムの構成を示すブロック図である。
【図４】第一実施形態のＭＳＤＳ作成提供システムにおけるデータベース端末の構成を示すブロック図である。
【図５】第一実施形態のＭＳＤＳ作成提供システムにおけるＭＳＤＳ管理端末の構成を示すブロック図である。
【図６】目で見るＭＳＤＳのフレームの例を示す正面図である。
【図７】目で見るＭＳＤＳの他のフレームの例を示す正面図である。
【図８】挿絵の例を示す図である。
【図９】目で見るＭＳＤＳ作成開始画面の構成を示す正面図である。
【図１０】化学物質名一覧の構成を示す正面図である。
【図１１】事業者情報入力画面の構成を示す正面図である。
【図１２】フレーム選択画面の構成を示す正面図である。
【図１３】第一実施形態のＭＳＤＳ作成提供システムにおけるユーザ端末の構成を示すブロック図である。
【図１４】第一実施形態のＭＳＤＳ作成提供システムにおける携帯端末の構成を示すブロック図である。
【図１５】本発明の第一実施形態におけるＭＳＤＳ管理端末の動作を示すフローチャートである。
【図１６】製品選択処理の動作手順を示すフローチャートである。
【図１７】フレーム選択処理の動作手順を示すフローチャートである。
【図１８】挿絵選択処理の動作手順を示すフローチャートである。
【図１９】ＭＳＤＳ提供方法の処理手順を示すフローチャートである。
【図２０】本発明の第二実施形態におけるＭＳＤＳ作成提供システムの構成を示すブロック図である。
【図２１】区分選択画面の構成を示す正面図である。
【図２２】区分別化学物質選択画面の構成を示す正面図である。
【図２３】表示項目選択画面の構成を示す正面図である。
【図２４】基本的事項が記載された目で見るＭＳＤＳの構成を示す正面図である。
【図２５】緊急時措置が記載された目で見るＭＳＤＳの構成を示す正面図である。
【図２６】専門的事項が記載された目で見るＭＳＤＳの構成を示す正面図である。
【図２７】項目別選択画面の構成を示す正面図である。
【図２８】適用法令、火災時の措置、危険性情報の各項目が選択されたときの目で見るＭＳＤＳの構成を示す正面図である。
【図２９】第二実施形態のＭＳＤＳ作成提供システムにおけるＭＳＤＳ管理端末の構成を示すブロック図である。
【図３０】第二実施形態のＭＳＤＳ作成提供システムにおける動作を示す動作手順図である。
【図３１】本発明の第三実施形態におけるＭＳＤＳ作成提供システムの構成を示すブロック図である。
【図３２】第三実施形態のＭＳＤＳ作成提供システムにおけるユーザ端末の構成を示すブロック図である。
【図３３】バーコード−化学物質対応テーブルの構成を示す図表である。
【図３４】バーコードが印刷されたラベルが貼付されている容器の外観を示す正面図である。
【図３５】第三実施形態のＭＳＤＳ作成提供システムにおける携帯端末の構成を示すブロック図である。
【図３６】第三実施形態におけるユーザ端末の処理手順を示すフローチャートである。
【図３７】本発明の第四実施形態におけるＭＳＤＳ作成提供システムの構成を示すブロック図である。
【図３８】第四実施形態におけるユーザ端末の処理手順を示すフローチャートである。
【図３９】本発明の第五実施形態におけるＭＳＤＳ作成提供システムの構成を示すブロック図である。
【図４０】第五実施形態のＭＳＤＳ作成提供システムにおけるＭＳＤＳ管理端末の構成を示すブロック図である。
【図４１】薬品の使用回数にもとづく在庫薬品一覧表の並べ替えを説明する図である。
【図４２】第五実施形態のＭＳＤＳ作成提供システムにおける動作のうち、在庫薬品の登録処理を示す動作手順図である。
【図４３】第五実施形態のＭＳＤＳ作成提供システムにおける動作のうち、使用薬品の登録処理を示す動作手順図である。
【図４４】第五実施形態のＭＳＤＳ作成提供システムにおける動作のうち、在庫薬品一覧表の並べ替え処理及び目で見るＭＳＤＳ取得処理を示す動作手順図である。
【図４５】本発明の第六実施形態におけるＭＳＤＳ作成提供システムの構成を示すブロック図である。
【図４６】第六実施形態のＭＳＤＳ作成提供システムにおけるＭＳＤＳ管理端末の構成を示すブロック図である。
【図４７】提供先テーブルの構成を示す図表である。
【図４８】第六実施形態のＭＳＤＳ作成提供システムにおける携帯端末の構成を示すブロック図である。
【図４９】第六実施形態のＭＳＤＳ作成提供システムにおける動作を示す動作手順図である。
【図５０】本発明の第七実施形態におけるＭＳＤＳ作成提供システムの構成を示すブロック図である。
【図５１】学習開始画面の構成を示す図表である。
【図５２】化学物質名選択画面の構成を示す図表である。
【図５３】項目選択画面の構成を示す図表である。
【図５４】質問画面（１）の構成を示す図表である。
【図５５】正解画面の構成を示す図表である。
【図５６】不正解画面の構成を示す図表である。
【図５７】質問画面（２）の構成を示す図表である。
【図５８】得点表示画面の構成を示す図表である。
【図５９】再挑戦確認画面の構成を示す図表である。
【図６０】次ステップ選択画面の構成を示す図表である。
【図６１】第七実施形態における携帯端末の処理手順を示すフローチャートである。
【図６２】従来のＭＳＤＳの構成を示す図表である。
【符号の説明】
【０１６６】
１ａ〜１ｇ  ＭＳＤＳ作成提供システム
１０  データベース端末
２０ａ〜２０ｇ  ＭＳＤＳ管理端末
２１ａ〜２１ｇ  記憶手段
２１１  製品情報等記憶部
２１５  目で見るＭＳＤＳ記憶部
２１６  表示画面記憶部
２１７  在庫薬品記憶部
２１８  カウント数記憶部
２１９  提供先記憶部
２５  ＭＳＤＳ作成手段
２７−１  提供管理手段
２８  記憶管理手段
２９  カウント手段
３０ａ〜３０ｇ  ユーザ端末
３７  バーコードリーダ
３８  バーコード解析手段
４０ａ〜４０ｇ  携帯端末
４６  撮像手段
４７  バーコード解析手段
４９  緊急通報手段
５０  通信回線
６０  化学物質検知手段
【図１】
0005223316.tif 000002
【図２】
0005223316.tif 000003
【図３】
0005223316.tif 000004
【図４】
0005223316.tif 000005
【図５】
0005223316.tif 000006
【図６】
0005223316.tif 000007
【図７】
0005223316.tif 000008
【図８】
0005223316.tif 000009
【図９】
0005223316.tif 000010
【図１０】
0005223316.tif 000011
【図１１】
0005223316.tif 000012
【図１２】
0005223316.tif 000013
【図１３】
0005223316.tif 000014
【図１４】
0005223316.tif 000015
【図１５】
0005223316.tif 000016
【図１６】
0005223316.tif 000017
【図１７】
0005223316.tif 000018
【図１８】
0005223316.tif 000019
【図１９】
0005223316.tif 000020
【図２０】
0005223316.tif 000021
【図２１】
0005223316.tif 000022
【図２２】
0005223316.tif 000023
【図２３】
0005223316.tif 000024
【図２４】
0005223316.tif 000025
【図２５】
0005223316.tif 000026
【図２６】
0005223316.tif 000027
【図２７】
0005223316.tif 000028
【図２８】
0005223316.tif 000029
【図２９】
0005223316.tif 000030
【図３０】
0005223316.tif 000031
【図３１】
0005223316.tif 000032
【図３２】
0005223316.tif 000033
【図３３】
0005223316.tif 000034
【図３４】
0005223316.tif 000035
【図３５】
0005223316.tif 000036
【図３６】
0005223316.tif 000037
【図３７】
0005223316.tif 000038
【図３８】
0005223316.tif 000039
【図３９】
0005223316.tif 000040
【図４０】
0005223316.tif 000041
【図４１】
0005223316.tif 000042
【図４２】
0005223316.tif 000043
【図４３】
0005223316.tif 000044
【図４４】
0005223316.tif 000045
【図４５】
0005223316.tif 000046
【図４６】
0005223316.tif 000047
【図４７】
0005223316.tif 000048
【図４８】
0005223316.tif 000049
【図４９】
0005223316.tif 000050
【図５０】
0005223316.tif 000051
【図５１】
0005223316.tif 000052
【図５２】
0005223316.tif 000053
【図５３】
0005223316.tif 000054
【図５４】
0005223316.tif 000055
【図５５】
0005223316.tif 000056
【図５６】
0005223316.tif 000057
【図５７】
0005223316.tif 000058
【図５８】
0005223316.tif 000059
【図５９】
0005223316.tif 000060
【図６０】
0005223316.tif 000061
【図６１】
0005223316.tif 000062
【図６２】
0005223316.tif 000063